【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
血液中の高密度リポタンパク質（ＨＤＬ）のコレステロール逆転送を支持する能力を測定するための組成物であって、前記組成物は、スピンラベルしたリポタンパク質プローブを含み、
ａ）前記組成物は、ｉｎ  ｖｉｔｒｏ血液試料に添加され、前記スピンラベルしたリポタンパク質プローブは、ＨＤＬに対して高い特異性を有し、
ｂ）前記試料の電子常磁性共鳴（ＥＰＲ）スペクトルが収集されること
を特徴とする、組成物。
【請求項２】
ｃ）ｂ）の前記スペクトルと陽性対照および／または陰性対照を比較することによって、前記スピンラベルしたリポタンパク質プローブとＨＤＬとの結合が比較されることをさらに特徴とする、請求項１に記載の組成物。
【請求項３】
前記スピンラベルしたリポタンパク質プローブのＨＤＬに対する結合の効率がＨＤＬのコレステロール流出潜在力を表す、請求項１または２に記載の組成物。
【請求項４】
前記ＥＰＲスペクトルの中心ピークの振幅が測定されることを特徴とする、請求項１から３のいずれか一項に記載の組成物。
【請求項５】
前記ｉｎ  ｖｉｔｒｏ血液試料がヒト血液試料である、請求項１から４のいずれか一項に記載の組成物。
【請求項６】
前記スピンラベルしたリポタンパク質プローブが、第１のスピンラベルおよび第２のスピンラベルを含む、請求項１から５のいずれか一項に記載の組成物。
【請求項７】
前記スピンラベルが前記リポタンパク質に共有結合によって付着している、請求項１から６のいずれか一項に記載の組成物。
【請求項８】
前記スピンラベルしたリポタンパク質プローブが、ａｐｏＡ−Ｉまたはその断片を含み、前記ａｐｏＡ−Ｉまたはその断片が、ＨＤＬに対して高い特異性を有する、請求項１から７のいずれか一項に記載の組成物。
【請求項９】
前記スピンラベルが、前記ａｐｏＡ−Ｉリポタンパク質またはその断片の単一の部位のアミノ酸に共有結合によって付着している、請求項８に記載の組成物。
【請求項１０】
前記スピンラベルしたリポタンパク質プローブが、ａｐｏＥリポタンパク質またはその断片を含み、前記ａｐｏＥまたはその断片が、ＨＤＬに対して高い特異性を有する、請求項１から７のいずれか一項に記載の組成物。
【請求項１１】
前記スピンラベルしたリポタンパク質プローブが、ＨＤＬに対して高い特異性を有するａｐｏＡ−Ｉ模倣物を含む、請求項１から７のいずれか一項に記載の組成物。
【請求項１２】
前記スピンラベルが、前記ａｐｏＡ−Ｉ模倣物の単一の部位に共有結合によって付着している、請求項１１に記載の組成物。
【請求項１３】
前記スピンラベルが、（１−オキシル−２，２，５，５−テトラメチル−Δ３−ピロリン−３−メチル）メタンチオスルホネート；（１−オキシル−２，２，５，５−テトラメチル−Δ３−ピロリン−３−メチル）メタンチオスルホネート−１５Ｎ；１−オキシル−２，２，５，５−テトラメチル−Δ３−ピロリン−３−メチル）メタンチオスルホネート−１５Ｎ，ｄ１５；（１−オキシル−２，２，５，５−テトラメチルピロリジン−３−イル）メチルメタンスルホネート；（−）−（１−オキシル−２，２，５，５−テトラメチルピロリジン−３−イル）メチルメタンスルホネート；（＋）−（１−オキシル−２，２，５，５−テトラメチルピロリジン−３−イル）メチルメタンスルホネート；３−（２−ヨードアセトアミド）−ＰＲＯＸＹＬ；３−ヨードメチル−（１−オキシ−２，２，５，５−テトラメチルピロリン）；１−オキシル−３−（マレイミドメチル）−２，２，５，５−テトラメチル−１−ピロリジン；（１−オキシル−２，２，３，５，５−ペンタメチル−Δ３−ピロリン−３−メチル）メタンチオスルホネート；Ｎ−（１−オキシル−２，２，６，６−テトラメチル−４−ピペリジニル）マレイミド；（１−オキシル−２，２，５，５−テトラメチルピロリジン−３−イル）メチルメタンチオスルホネート；（１−オキシル−２，２，５，５−テトラメチルピロリン−３−イル）カルバミドエチルメタンチオスルホネート；（１−オキシル−２，２，５，５−テトラメチルピロリン−３−イル）カルバミドヘキシルメタンチオスルホネート；（１−オキシル−２，２，５，５−テトラメチルピロリン−３−イル）カルバミドプロピルメタンメタンチオスルホネート；３−（２−ブロモアセトアミド）−２，２，５，５−テトラメチル−１−ピロリジニルオキシ、フリーラジカル；４−ブロモ−３−ヒドロキシメチル−１−オキシル−２，２，５，５−テトラメチル−δ３−ピロリン；３−ブロモメチル−２，５−ジヒドロ−２，２，５，５−テトラメチル−１Ｈ−ピロール−１−イルオキシ；４−ブロモ−（１−オキシル−２，２，５，５−テトラメチル−Δ３−ピロリン−３−メチル）メタンチオスルホネート；３−［２−（２−マレイミドエトキシ）エチルカルバモイル］−ＰＲＯＸＹＬ；３−マレイミド−ＰＲＯＸＬ、３−（２−マレイミドエチル−カルバモイル）−ＰＲＯＸＹＬ、フリーラジカル；３−（３−（２−ヨード−アセトアミド）−プロピル−カルバモイル）−ＰＲＯＸＹＬ、フリーラジカル；３−（２−ブロモ−アセトアミド−メチル）−ＰＲＯＸＹＬ、フリーラジカル；または３−（２−ヨード−アセトアミド−メチル）−ＰＲＯＸＹＬ、フリーラジカルである、請求項９に記載の組成物。
【請求項１４】
前記スピンラベルが過重水素化スピンラベルである、請求項１３に記載の組成物。
【請求項１５】
前記スピンラベルが、前記リポタンパク質のアミノ酸にチオスルホネート部分を通じて付着している、請求項１３または１４に記載の組成物。
【請求項１６】
前記スピンラベルが、前記スピンラベルと前記リポタンパク質との間のスペーサー部分をさらに含む、請求項１３または１４に記載の組成物。
【請求項１７】
前記ＥＰＲスペクトルが、前記スピンラベルしたリポタンパク質プローブを前記ｉｎ  ｖｉｔｒｏ血液試料に添加した後の１つまたは複数の時点で収集されることを特徴とする、請求項１から１６のいずれか一項に記載の組成物。
【請求項１８】
ｃ）が、前記ＨＤＬの転移温度の決定であり、前記ＨＤＬの転移温度が２５℃以上であることが、コレステロール逆転送能力の低下を示す、請求項２から１７のいずれか一項に記載の組成物。
【請求項１９】
前記ｉｎ  ｖｉｔｒｏ血液試料が抗凝固薬をさらに含む、請求項１に記載の組成物。
【請求項２０】
ｉｎ  ｖｉｔｒｏ血液試料のコレステロール逆転送能力を、第１の個体において心臓血管疾患が発生するリスクの指標とする方法であって、
ａ）請求項１から１９のいずれか一項に記載の組成物を使用して、前記第１の個体から得たｉｎ  ｖｉｔｒｏ血液試料のコレステロール逆転送能力を決定するステップ
を含む方法。
【請求項２１】
ｂ）ステップａ）のコレステロール逆転送能力を、心臓血管疾患の明白なリスクがない１または複数の第２の個体から得た血液試料の逆転送能力と比較するステップであって、前記第１の個体から得た前記ｉｎ  ｖｉｔｒｏ血液試料のコレステロール逆転送能力が前記１または複数の第２の個体と比較して低下していることが、心臓血管疾患のリスクの増加を示すステップ
をさらに含む、請求項２０に記載の方法。
【請求項２２】
ｉｎ  ｖｉｔｒｏ血液試料のコレステロール逆転送能力を、心臓血管疾患に対する治療を受けている個体において心臓血管疾患に対する療法の経過の指標とする方法であって、
ａ）請求項１から１９のいずれか一項に記載の組成物を使用して、前記個体から得たｉｎ  ｖｉｔｒｏ血液試料のコレステロール逆転送能力を決定するステップ
を含む方法。
【請求項２３】
ｂ）前記個体に前記療法を施している間、および／またはその後に、１回または複数回、前記個体から得たｉｎ  ｖｉｔｒｏ血液試料のコレステロール逆転送能力を決定するステップであって、前記個体から得た血液試料の前記逆転送能力の増加が治療有効性を示すステップ
をさらに含む、請求項２２に記載の方法。
【請求項２４】
ｉｎ  ｖｉｔｒｏ血液試料のコレステロール逆転送能力を、心臓血管疾患に対する公知の療法または潜在的な療法の有効性の指標とする方法であって、
ａ）請求項１から１９のいずれか一項に記載の組成物を使用して、試験個体から得たｉｎ  ｖｉｔｒｏ血液試料のコレステロール逆転送能力を決定するステップであって、前記試験個体が前記療法に供されているステップ
を含む方法。
【請求項２５】
ｉｎ  ｖｉｔｒｏ血液試料中の高密度リポタンパク質（ＨＤＬ）のコレステロール逆転送を支持する能力をＥＰＲによって測定するためのキットであって、ＨＤＬに対して高い特異性を有するスピンラベルしたリポタンパク質プローブを含むキット。
【請求項２６】
ａｐｏＡ−ＩＩリポタンパク質またはその断片を含む組成物であって、前記ａｐｏＡ−ＩＩリポタンパク質がスピンラベルを含み、前記ａｐｏＡ−ＩＩリポタンパク質またはその断片がＨＤＬに対して高い特異性を有する組成物。
【請求項２７】
ａｐｏＡ−Ｉリポタンパク質またはその断片を含む組成物であって、前記ａｐｏＡ−Ｉリポタンパク質またはその断片がスピンラベルを含み、前記スピンラベルが、（１−オキシル−２，２，５，５−テトラメチルピロリジン−３−イル）メチルメタンスルホネート；（−）−（１−オキシル−２，２，５，５−テトラメチルピロリジン−３−イル）メチルメタンスルホネート；または（＋）−（１−オキシル−２，２，５，５−テトラメチルピロリジン−３−イル）メチルメタンスルホネートを含む組成物。
【請求項２８】
ｉｎ  ｖｉｔｒｏ血液試料と、ＨＤＬに対して高い特異性を有するスピンラベルしたリポタンパク質プローブとを含む組成物。
【請求項２９】
ＨＤＬのコレステロール逆転送を支持する能力を測定するための組成物であって、前記組成物は、試験片を含み、前記試験片は、スピンラベルしたリポタンパク質プローブおよび固体支持体を含み、前記スピンラベルしたリポタンパク質プローブが、スピンラベルおよびタンパク質を含み、前記スピンラベルしたリポタンパク質プローブが、ＨＤＬに対して高い特異性を有する組成物。
【請求項３０】
ｉｎ  ｖｉｔｒｏ試料の、ＨＤＬのコレステロール逆転送を支持する能力をＥＰＲによって測定するためのキットであって、固体支持体およびスピンラベルしたリポタンパク質プローブを含む試験片を含み、前記スピンラベルしたリポタンパク質プローブが、スピンラベルおよびタンパク質を含み、前記スピンラベルしたリポタンパク質プローブが、ＨＤＬに対して高い特異性を有するキット。
【請求項３１】
試料中の高密度リポタンパク質（ＨＤＬ）のコレステロール逆転送を支持する能力を測定するための試験片であって、
ａ）ｉｎ  ｖｉｔｒｏ試料が、固体支持体およびスピンラベルしたリポタンパク質プローブを含む前記試験片と接触させられ、前記スピンラベルしたリポタンパク質プローブがスピンラベルおよびリポタンパク質を含み、前記スピンラベルしたリポタンパク質プローブがＨＤＬに対して高い特異性を有することと、
ｂ）前記試験片上の前記スピンラベルしたリポタンパク質プローブの電子常磁性共鳴（ＥＰＲ）スペクトルが収集されることと
を特徴とする、試験片。
【請求項３２】
個体の血液のコレステロール流出能を調節するための候補治療薬をスクリーニングするための試験片であって、
ａ）コレステロール流出能が低いｉｎ  ｖｉｔｒｏ試料が、固体支持体およびスピンラベルしたリポタンパク質プローブを含む前記試験片と接触させられ、前記スピンラベルしたリポタンパク質プローブが、スピンラベルおよびリポタンパク質を含み、前記スピンラベルしたリポタンパク質プローブが、ＨＤＬに対して高い特異性を有することとと、
ｂ）前記試料が前記候補治療薬と接触させられることと、
ｃ）前記試験片上の前記スピンラベルしたリポタンパク質プローブの電子常磁性共鳴（ＥＰＲ）スペクトルが収集されることと
を特徴とし、
前記試料のコレステロール流出能の増加が、前記候補治療薬がコレステロール流出能を調節するために有用である可能性があることを示す、試験片。
【手続補正２】
【補正対象書類名】明細書
【補正対象項目名】０１０５
【補正方法】変更
【補正の内容】
【０１０５】
上記の態様のいくつかの実施形態では、ｉｎ  ｖｉｔｒｏ試料は抗凝固薬をさらに含む。いくつかの実施形態では、抗凝固薬はヘパリン、クマジン、ワルファリン、ＥＤＴＡ、シトレートまたはオキザレートである。
特定の実施形態では、例えば以下が提供される：
（項目１）
血液中の高密度リポタンパク質（ＨＤＬ）のコレステロール逆転送を支持する能力を測定するための方法であって、
ａ）ＨＤＬに対して高い特異性を有するスピンラベルしたリポタンパク質プローブをｉｎ  ｖｉｔｒｏ血液試料に添加するステップと、
ｂ）前記試料の電子常磁性共鳴（ＥＰＲ）スペクトルを収集するステップと
を含む方法。
（項目２）
ｃ）ステップｂ）の前記スペクトルと陽性対照および／または陰性対照を比較することによって、前記スピンラベルしたリポタンパク質プローブとＨＤＬとの結合を比較するステップ
をさらに含む、項目１に記載の方法。
（項目３）
前記陰性対照が、無脂質環境または低脂質環境中にある前記スピンラベルしたリポタンパク質プローブのＥＰＲスペクトルである、項目２に記載の方法。
（項目４）
前記陽性対照が、ジミリストイルホスファチジルコリンと結合した前記スピンラベルしたリポタンパク質プローブのＥＰＲスペクトルである、項目２に記載の方法。
（項目５）
前記コレステロール逆転送がコレステロール流出潜在力である、項目１から４のいずれか一項に記載の方法。
（項目６）
前記ＥＰＲスペクトルの中心ピークの振幅を測定する、項目１から５のいずれか一項に記載の方法。
（項目７）
低脂質のスピンラベルしたリポタンパク質プローブのＥＰＲスペクトルと比較した、前記血液試料中の前記スピンラベルしたリポタンパク質プローブの前記ＥＰＲスペクトルの前記中心ピークの前記振幅の差異が、前記リポタンパク質と前記ＨＤＬとの結合の差異を示す、項目６に記載の方法。
（項目８）
前記中心ピークの前記振幅の増加が、前記スピンラベルしたリポタンパク質プローブと前記ＨＤＬとの結合の増加を示す、項目７に記載の方法。
（項目９）
前記中心ピークの前記振幅の増加が、前記スピンラベルしたリポタンパク質プローブと前記ＨＤＬとの結合の減少を示す、項目７に記載の方法。
（項目１０）
前記中心ピークの前記振幅の減少が、前記スピンラベルしたリポタンパク質プローブと前記ＨＤＬとの結合の増加を示す、項目７に記載の方法。
（項目１１）
前記中心ピークの前記振幅の減少が、前記スピンラベルしたリポタンパク質プローブと前記ＨＤＬとの結合の減少を示す、項目７に記載の方法。
（項目１２）
前記中心ピークの振幅の変化を、前記血液試料中の前記スピンラベルしたリポタンパク質プローブとＨＤＬが結合しても変化しない近ピークおよび／または遠ピークの振幅との関連で測定する、項目８から１１のいずれか一項に記載の方法。
（項目１３）
前記ＥＰＲスペクトルのプロファイルの変化が、前記スピンラベルしたリポタンパク質プローブの結合の変化を示す、項目６に記載の方法。
（項目１４）
前記中心ピークのシフトが、前記スピンラベルしたリポタンパク質プローブの結合の変化を示す、項目６に記載の方法。
（項目１５）
前記ｉｎ  ｖｉｔｒｏ血液試料が全血試料である、項目１から１４のいずれか一項に記載の方法。
（項目１６）
前記ｉｎ  ｖｉｔｒｏ血液試料が血漿試料である、項目１から１４のいずれか一項に記載の方法。
（項目１７）
前記ｉｎ  ｖｉｔｒｏ血液試料が血清試料である、項目１から１４のいずれか一項に記載の方法。
（項目１８）
前記ｉｎ  ｖｉｔｒｏ血液試料が、前記スピンラベルしたリポタンパク質プローブを添加する前に１回または２回凍結解凍されている、項目１から１７のいずれか一項に記載の方法。
（項目１９）
前記ｉｎ  ｖｉｔｒｏ血液試料が非ヒト哺乳動物血液試料である、項目１から１８のいずれか一項に記載の方法。
（項目２０）
前記ｉｎ  ｖｉｔｒｏ血液試料がヒト血液試料である、項目１９に記載の方法。
（項目２１）
前記スピンラベルが前記リポタンパク質の単一の部位に位置する、項目１から２０のいずれか一項に記載の方法。
（項目２２）
前記スピンラベルしたリポタンパク質プローブが、第１のスピンラベルおよび第２のスピンラベルを含む、項目１から２０のいずれか一項に記載の方法。
（項目２３）
第１のスピンラベルが前記リポタンパク質の第１の単一の部位に位置し、前記第２のスピンラベルが、前記リポタンパク質の第２の単一の部位に位置する、項目２２に記載の方法。
（項目２４）
前記スピンラベルが前記リポタンパク質に共有結合によって付着している、項目１から２３のいずれか一項に記載の方法。
（項目２５）
前記スピンラベルが前記リポタンパク質に非共有結合によって付着している、項目１から２３のいずれか一項に記載の方法。
（項目２６）
前記スピンラベルしたリポタンパク質プローブが、ａｐｏＡ−Ｉまたはその断片を含み、前記ａｐｏＡ−Ｉまたはその断片が、ＨＤＬに対して高い特異性を有する、項目１から２５のいずれか一項に記載の方法。
（項目２７）
前記スピンラベルしたリポタンパク質プローブが、ａｐｏＡ−ＩのＨＤＬ結合領域を含むａｐｏＡ−Ｉの断片を含む、項目２６に記載の方法。
（項目２８）
前記スピンラベルが、前記ａｐｏＡ−Ｉリポタンパク質またはその断片の単一の部位のアミノ酸に共有結合によって付着している、項目２６または２７に記載の方法。
（項目２９）
前記スピンラベルが、前記ａｐｏＡ−Ｉリポタンパク質の残基１８８〜残基２４３のうちの１つのアミノ酸残基に共有結合によって付着している、項目２８に記載の方法。
（項目３０）
前記スピンラベルが、前記ａｐｏＡ−Ｉリポタンパク質の２６位、４４位、６４位、９８位、１０１位、１１１位、１６７位、２１７位、または２２６位のアミノ酸に共有結合によって付着している、項目２８に記載の方法。
（項目３１）
２６位、４４位、６４位、９８位、１０１位、１１１位、１６７位、２１７位、または２２６位のネイティブなアミノ酸残基がシステイン残基によって置き換えられている、項目３０に記載の方法。
（項目３２）
前記スピンラベルが前記ａｐｏＡ−Ｉタンパク質の２１７位のシステイン残基に共有結合によって付着している、項目２８から３１のいずれか一項に記載の方法。
（項目３３）
前記スピンラベルが前記ａｐｏＡ−Ｉタンパク質の２１７位のシステイン残基に共有結合によって付着しており、前記スピンラベルが（１−オキシル−２，２，５，５−テトラメチル−Δ３−ピロリン−３−メチル）メタンチオスルホネートである、項目３２に記載の方法。
（項目３４）
前記ＥＰＲスペクトルの中心ピークの振幅の増加が、前記ｉｎ  ｖｉｔｒｏ血液試料における前記スピンラベルしたリポタンパク質プローブとＨＤＬとの結合の増加を示す、項目３３に記載の方法。
（項目３５）
前記スピンラベルが前記ａｐｏＡ−Ｉタンパク質の１１１位のシステイン残基に共有結合によって付着しており、前記スピンラベルが（１−オキシル−２，２，５，５−テトラメチル−Δ３−ピロリン−３−メチル）メタンチオスルホネートである、項目３０に記載の方法。
（項目３６）
前記ＥＰＲスペクトルの中心ピークの振幅の増加が、前記ｉｎ  ｖｉｔｒｏ血液試料における前記スピンラベルしたリポタンパク質プローブとＨＤＬとの結合の増加を示す、項目３５に記載の方法。
（項目３７）
前記スピンラベルしたリポタンパク質プローブが、ａｐｏＡ−ＩＩリポタンパク質またはその断片を含み、前記ａｐｏＡ−ＩＩまたはその断片が、ＨＤＬに対して高い特異性を有する、項目１から２５のいずれか一項に記載の方法。
（項目３８）
前記スピンラベルが前記ａｐｏＡ−ＩＩリポタンパク質の単一の部位のアミノ酸に共有結合によって付着している、項目３７に記載の方法。
（項目３９）
前記ａｐｏＡ−ＩＩタンパク質の前記単一の部位のネイティブなアミノ酸残基がシステイン残基によって置き換えられている、項目３８に記載の方法。
（項目４０）
前記スピンラベルしたリポタンパク質プローブが、ａｐｏＥリポタンパク質またはその断片を含み、前記ａｐｏＥまたはその断片が、ＨＤＬに対して高い特異性を有する、項目１から２５のいずれか一項に記載の方法。
（項目４１）
前記ａｐｏＥリポタンパク質がａｐｏＥ３リポタンパク質である、項目４０に記載の方法。
（項目４２）
前記スピンラベルが前記ａｐｏＥリポタンパク質の単一の部位のアミノ酸に共有結合によって付着している、項目４０または４１のいずれか一項に記載の方法。
（項目４３）
前記ａｐｏＥタンパク質の前記単一の部位のネイティブなアミノ酸残基がシステイン残基によって置き換えられている、項目４２に記載の方法。
（項目４４）
前記スピンラベルしたリポタンパク質プローブが、ＨＤＬに対して高い特異性を有するａｐｏＡ−Ｉ模倣物を含む、項目１から２５のいずれか一項に記載の方法。
（項目４５）
前記ａｐｏＡ−Ｉ模倣物が１８Ａ、１８Ａ−Ｐｒｏ−１８Ａ、４Ｆ、および４ｆ−Ｐｒｏ−４Ｆからなる群から選択される、項目４４に記載の方法。
（項目４６）
前記スピンラベルが、前記ａｐｏＡ−Ｉ模倣物の単一の部位に共有結合によって付着している、項目４４または４５に記載の方法。
（項目４７）
前記スピンラベルが自由電子を担持する原子を含む、項目１から４６のいずれか一項に記載の方法。
（項目４８）
自由電子を担持する前記原子が窒素である、項目４７に記載の方法。
（項目４９）
前記スピンラベルが、（１−オキシル−２，２，５，５−テトラメチル−Δ３−ピロリン−３−メチル）メタンチオスルホネート；（１−オキシル−２，２，５，５−テトラメチル−Δ３−ピロリン−３−メチル）メタンチオスルホネート−１５Ｎ；１−オキシル−２，２，５，５−テトラメチル−Δ３−ピロリン−３−メチル）メタンチオスルホネート−１５Ｎ，ｄ１５；（１−オキシル−２，２，５，５−テトラメチルピロリジン−３−イル）メチルメタンスルホネート；（−）−（１−オキシル−２，２，５，５−テトラメチルピロリジン−３−イル）メチルメタンスルホネート；（＋）−（１−オキシル−２，２，５，５−テトラメチルピロリジン−３−イル）メチルメタンスルホネート；３−（２−ヨードアセトアミド）−ＰＲＯＸＹＬ；３−ヨードメチル−（１−オキシ−２，２，５，５−テトラメチルピロリン）；１−オキシル−３−（マレイミドメチル）−２，２，５，５−テトラメチル−１−ピロリジン；（１−オキシル−２，２，３，５，５−ペンタメチル−Δ３−ピロリン−３−メチル）メタンチオスルホネート；Ｎ−（１−オキシル−２，２，６，６−テトラメチル−４−ピペリジニル）マレイミド；（１−オキシル−２，２，５，５−テトラメチルピロリジン−３−イル）メチルメタンチオスルホネート；（１−オキシル−２，２，５，５−テトラメチルピロリン−３−イル）カルバミドエチルメタンチオスルホネート；（１−オキシル−２，２，５，５−テトラメチルピロリン−３−イル）カルバミドヘキシルメタンチオスルホネート；（１−オキシル−２，２，５，５−テトラメチルピロリン−３−イル）カルバミドプロピルメタンメタンチオスルホネート；３−（２−ブロモアセトアミド）−２，２，５，５−テトラメチル−１−ピロリジニルオキシ、フリーラジカル；４−ブロモ−３−ヒドロキシメチル−１−オキシル−２，２，５，５−テトラメチル−δ３−ピロリン；３−ブロモメチル−２，５−ジヒドロ−２，２，５，５−テトラメチル−１Ｈ−ピロール−１−イルオキシ；４−ブロモ−（１−オキシル−２，２，５，５−テトラメチル−Δ３−ピロリン−３−メチル）メタンチオスルホネート；３−［２−（２−マレイミドエトキシ）エチルカルバモイル］−ＰＲＯＸＹＬ；３−マレイミド−ＰＲＯＸＬ、３−（２−マレイミドエチル−カルバモイル）−ＰＲＯＸＹＬ、フリーラジカル；３−（３−（２−ヨード−アセトアミド）−プロピル−カルバモイル）−ＰＲＯＸＹＬ、フリーラジカル；３−（２−ブロモ−アセトアミド−メチル）−ＰＲＯＸＹＬ、フリーラジカル；または３−（２−ヨード−アセトアミド−メチル）−ＰＲＯＸＹＬ、フリーラジカルである、項目２９に記載の方法。
（項目５０）
前記スピンラベルが過重水素化スピンラベルである、項目４８または４９に記載の方法。
（項目５１）
前記スピンラベルが、前記リポタンパク質のアミノ酸にチオスルホネート部分を通じて付着している、項目４７から５０のいずれか一項に記載の方法。
（項目５２）
前記スピンラベルが、前記スピンラベルと前記リポタンパク質との間のスペーサー部分をさらに含む、項目４７から５０のいずれか一項に記載の方法。
（項目５３）
前記スペーサー部分がメタン、エタン、プロパンまたはブタンである、項目５２に記載の方法。
（項目５４）
前記ＨＤＬがＨＤＬ３である、項目１から５３のいずれか一項に記載の方法。
（項目５５）
前記スピンラベルしたリポタンパク質プローブを、最終濃度約０．１ｍｇ／ｍｌ〜約１．１ｍｇ／ｍｌで前記ｉｎ  ｖｉｔｒｏ血液試料に添加する、項目１から５４のいずれか一項に記載の方法。
（項目５６）
前記スピンラベルしたリポタンパク質プローブを、最終濃度約０．３ｍｇ／ｍｌで前記ｉｎ  ｖｉｔｒｏ血液試料に添加する、項目５５に記載の方法。
（項目５７）
前記スピンラベルしたリポタンパク質プローブを、最終濃度約０．８ｍｇ／ｍｌ超で前記ｉｎ  ｖｉｔｒｏ血液試料に添加する、項目５５に記載の方法。
（項目５８）
前記ＥＰＲスペクトルを、前記スピンラベルしたリポタンパク質プローブを前記ｉｎ  ｖｉｔｒｏ血液試料に添加した後の１つまたは複数の時点で収集する、項目１から５７のいずれか一項に記載の方法。
（項目５９）
前記ＥＰＲスペクトルを、前記スピンラベルしたリポタンパク質プローブを前記ｉｎ  ｖｉｔｒｏ血液試料に添加した後１．５分、４分、６分、８分、１０分、３０分、６０分の時点のうちの１つまたは複数でモニターする、項目５８に記載の方法。
（項目６０）
前記スピンラベルしたリポタンパク質プローブと前記ＨＤＬとの結合が平衡に達するまでの時間が１０分以上であることが、ＨＤＬのコレステロール逆転送に関する能力の低下を示す、項目５８または５９に記載の方法。
（項目６１）
前記スピンラベルしたリポタンパク質プローブと前記ＨＤＬとの結合が平衡に達するまでの時間が正常なコレステロール逆転送能力を伴うｉｎ  ｖｉｔｒｏ血液試料の平衡に達するまでの時間より少なくとも２倍長いことが、コレステロール逆転送の能力の低下を示す、項目５７または５９のいずれか一項に記載の方法。
（項目６２）
ステップｃ）の評価が、スピンラベルしたリポタンパク質プローブと前記ＨＤＬとの結合の程度の決定である、項目１から５９のいずれか一項に記載の方法。
（項目６３）
前記スピンラベルしたリポタンパク質プローブと前記ＨＤＬとの結合の平衡の程度が、正常なコレステロール逆転送能力を伴うｉｎ  ｖｉｔｒｏ血液試料における前記スピンラベルしたリポタンパク質プローブの結合と比較して８０％以下であることが、コレステロール逆転送の能力の低下を示す、項目６２に記載の方法。
（項目６４）
ステップｃ）の評価が、前記ＨＤＬの転移温度の決定であり、前記ＨＤＬの転移温度が２５℃以上であることが、コレステロール逆転送能力の低下を示す、項目１から５９のいずれか一項に記載の方法。
（項目６５）
前記ＥＰＲスペクトルを０℃〜３７℃にわたる温度で収集する、項目６４に記載の方法。
（項目６６）
前記ＥＰＲスペクトルを、３７℃で収集し、次いで、２０℃および／または０℃で収集する、項目６４または６５に記載の方法。
（項目６７）
前記ＥＰＲスペクトルを、０℃で収集し、次いで、２０℃および／または３７℃で収集する、項目６４または６５に記載の方法。
（項目６８）
前記ＥＰＲスペクトルを、４℃で収集し、次いで、３７℃で収集する、項目６４または６５に記載の方法。
（項目６９）
前記ｉｎ  ｖｉｔｒｏ血液試料が抗凝固薬をさらに含む、項目１から６８のいずれか一項に記載の方法。
（項目７０）
前記抗凝固薬がヘパリン、クマジン、ワルファリン、ＥＤＴＡ、シトレートまたはオキザレートである、項目６９に記載の方法。
（項目７１）
第１の個体において心臓血管疾患が発生するリスクを決定するための方法であって、
ａ）項目１から７０のいずれか一項に従って前記第１の個体由来のｉｎ  ｖｉｔｒｏ血液試料のコレステロール逆転送能力を決定するステップ
を含む方法。
（項目７２）
ｂ）ステップａ）のコレステロール逆転送能力を、心臓血管疾患の明白なリスクがない１または複数の第２の個体由来の血液試料の逆転送能力と比較するステップであって、前記第１の個体由来の前記ｉｎ  ｖｉｔｒｏ血液試料のコレステロール逆転送能力が前記１または複数の第２の個体と比較して低下していることが、心臓血管疾患のリスクの増加を示すステップ
をさらに含む、項目７１に記載の方法。
（項目７３）
前記第１の個体および第２の個体がヒトである、項目７１または７２に記載の方法。
（項目７４）
前記心臓血管疾患が冠動脈疾患、アテローム性動脈硬化症、末梢血管疾患、および脳卒中から選択される、項目７３に記載の方法。
（項目７５）
前記第１の個体が糖尿病かつ／または肥満である、項目７３または７４に記載の方法。
（項目７６）
心臓血管疾患に対する治療を受けている個体において心臓血管疾患に対する療法の経過をモニターするための方法であって、
ａ）項目１から７１のいずれか一項に従って前記個体由来のｉｎ  ｖｉｔｒｏ血液試料のコレステロール逆転送能力を決定するステップ
を含む方法。
（項目７７）
ｂ）前記個体に前記療法を施している間、および／またはその後に、１回または複数回、前記個体由来のｉｎ  ｖｉｔｒｏ血液試料のコレステロール逆転送能力を決定するステップであって、前記個体由来の血液試料の前記逆転送能力の増加が治療有効性を示すステップ
をさらに含む、項目７６に記載の方法。
（項目７８）
前記個体がヒトである、項目７７に記載の方法。
（項目７９）
前記心臓血管疾患が冠動脈疾患、アテローム性動脈硬化症、末梢血管疾患、および脳卒中から選択される、項目７６または７８に記載の方法。
（項目８０）
心臓血管疾患に対する公知の療法または潜在的な療法の有効性を決定するための方法であって、
ａ）項目１から７１のいずれか一項に従って試験個体由来のｉｎ  ｖｉｔｒｏ血液試料のコレステロール逆転送能力を決定するステップであって、試験動物が前記療法に供されているステップ
を含む方法。
（項目８１）
前記試験動物が、前記試験動物に前記療法を施すことによって前記療法に供されている、項目８０に記載の方法。
（項目８２）
ｂ）前記療法を前記試験動物に施している間、および／またはその後に、１回または複数回、前記試験動物由来のｉｎ  ｖｉｔｒｏ血液試料のコレステロール逆転送能力を決定するステップであって、前記試験動物由来の前記ｉｎ  ｖｉｔｒｏ血液試料の前記逆転送能力の増加が治療有効性を示すステップ
をさらに含む、項目８０または８１に記載の方法。
（項目８３）
心臓血管疾患に対する公知の療法または潜在的な療法の有効性を決定する方法であって、
ａ）項目１から７１のいずれか一項に従って試験動物由来のｉｎ  ｖｉｔｒｏ血液試料のコレステロール逆転送能力を決定するステップと、
ｂ）前記試験動物に前記療法を施すステップと、
ｃ）前記療法を前記試験動物に施している間、および／またはその後に、１回または複数回、前記試験動物由来の前記ｉｎ  ｖｉｔｒｏ血液試料の前記コレステロール逆転送能力を決定するステップであって、前記試験動物由来の前記ｉｎ  ｖｉｔｒｏ血液試料の前記逆転送能力の増加が治療有効性を示すステップと
を含む方法。
（項目８４）
前記試験動物がマウス、ラット、ウサギ、ハムスター、モルモット、イヌ、ネコ、およびブタから選択される、項目８０から８３のいずれか一項に記載の方法。
（項目８５）
ｉｎ  ｖｉｔｒｏ血液試料中の高密度リポタンパク質（ＨＤＬ）のコレステロール逆転送を支持する能力をＥＰＲによって測定するためのキットであって、ＨＤＬに対して高い特異性を有するスピンラベルしたリポタンパク質プローブを含むキット。
（項目８６）
ｉｎ  ｖｉｔｒｏ血液試料中の高密度リポタンパク質（ＨＤＬ）のコレステロール逆転送を支持する能力をＥＰＲによって測定するためのキットであって、スピンラベルと、ＨＤＬに対して高い特異性を有するリポタンパク質とを含むキット。
（項目８７）
前記コレステロール逆転送がコレステロール流出潜在力である、項目８５または８６に記載のキット。
（項目８８）
個体において心臓血管疾患が発生するリスクを決定するためのキットであって、前記個体由来のｉｎ  ｖｉｔｒｏ血液試料に添加し、ＥＰＲによって分析するために製剤化されたスピンラベルしたリポタンパク質プローブを含むキット。
（項目８９）
個体における心臓血管疾患に対する療法の経過を決定するためのキットであって、前記個体由来のｉｎ  ｖｉｔｒｏ血液試料に添加し、ＥＰＲによって分析するために製剤化されたスピンラベルしたリポタンパク質プローブを含むキット。
（項目９０）
前記個体がヒトである、項目８８または８９に記載のキット。
（項目９１）
前記個体が非ヒト哺乳動物である、項目８８または８９に記載のキット。
（項目９２）
前記心臓血管疾患が冠動脈疾患、アテローム性動脈硬化症、末梢血管疾患、および脳卒中から選択される、項目９０に記載のキット。
（項目９３）
前記スピンラベルしたリポタンパク質プローブが、全血試料とともに使用するために製剤化されている、項目８５から９２のいずれか一項に記載のキット。
（項目９４）
前記スピンラベルしたリポタンパク質プローブが、血漿試料とともに使用するために製剤化されている、項目８５から９２のいずれか一項に記載のキット。
（項目９５）
前記スピンラベルしたリポタンパク質プローブが、血清試料とともに使用するために製剤化されている、項目８５から９２のいずれか一項に記載のキット。
（項目９６）
前記スピンラベルしたリポタンパク質プローブが、前記スピンラベルしたリポタンパク質プローブを添加する前に１回または２回凍結解凍されたｉｎ  ｖｉｔｒｏ血液試料とともに使用するために製剤化されている、項目８５から９５のいずれか一項に記載のキット。
（項目９７）
前記スピンラベルしたリポタンパク質プローブが、哺乳動物血液試料とともに使用するために製剤化されている、項目８５から９５のいずれか一項に記載のキット。
（項目９８）
前記スピンラベルしたリポタンパク質プローブが、ヒト血液試料とともに使用するために製剤化されている、項目８５から９５のいずれか一項に記載のキット。
（項目９９）
使用説明書をさらに含む、項目８５から９８のいずれか一項に記載のキット。
（項目１００）
前記スピンラベルしたリポタンパク質プローブが、ａｐｏＡ−Ｉまたはその断片を含み、前記ａｐｏＡ−Ｉまたはその断片が、ＨＤＬに対して高い特異性を有する、項目８５から９９のいずれか一項に記載のキット。
（項目１０１）
前記スピンラベルしたリポタンパク質プローブが、ａｐｏＡ−ＩのＨＤＬ結合領域を含むａｐｏＡ−Ｉの断片を含む、項目１００に記載のキット。
（項目１０２）
前記スピンラベルが、前記ａｐｏＡ−Ｉリポタンパク質の単一の部位のアミノ酸に共有結合によって付着している、項目１００または１０１に記載のキット。
（項目１０３）
前記スピンラベルが、前記ａｐｏＡ−Ｉリポタンパク質の残基１８８〜残基２４３のうちの単一の部位のアミノ酸に共有結合によって付着している、項目１００または１０１に記載のキット。
（項目１０４）
前記スピンラベルが、前記ａｐｏＡ−Ｉリポタンパク質の２６位、４４位、６４位、９８位、１０１位、１１１位、１６７位、２１７位、または２２６位のアミノ酸に共有結合によって付着している、項目１００または１０１に記載のキット。
（項目１０５）
２６位、４４位、６４位、９８位、１０１位、１１１位、１６７位、２１７位、または２２６位のネイティブなアミノ酸残基がシステイン残基によって置き換えられている、項目１０４に記載のキット。
（項目１０６）
前記スピンラベルが前記ａｐｏＡ−Ｉタンパク質の２１７位のシステイン残基に共有結合によって付着している、項目１０５に記載のキット。
（項目１０７）
前記スピンラベルが前記ａｐｏＡ−Ｉタンパク質の２１７位のシステイン残基に共有結合によって付着しており、前記スピンラベルが（１−オキシル−２，２，５，５−テトラメチル−Δ３−ピロリン−３−メチル）メタンチオスルホネートである、項目１０６に記載の方法キット。
（項目１０８）
前記スピンラベルが前記ａｐｏＡ−Ｉタンパク質の１１１位のシステイン残基に共有結合によって付着しており、前記スピンラベルが（１−オキシル−２，２，５，５−テトラメチル−Δ３−ピロリン−３−メチル）メタンチオスルホネートである、項目１０４に記載のキット。
（項目１０９）
前記スピンラベルしたリポタンパク質プローブが、ａｐｏＡ−ＩＩリポタンパク質またはその断片を含み、前記ａｐｏＡ−ＩＩまたはその断片が、ＨＤＬに対して高い特異性を有する、項目８５から９７のいずれか一項に記載のキット。
（項目１１０）
前記スピンラベルが前記ａｐｏＡ−ＩＩリポタンパク質またはその断片の単一の部位のアミノ酸に共有結合によって付着している、項目１０９に記載のキット。
（項目１１１）
前記ａｐｏＡ−ＩＩタンパク質の前記単一の部位のネイティブなアミノ酸残基がシステイン残基によって置き換えられている、項目１１０に記載のキット。
（項目１１２）
前記スピンラベルしたリポタンパク質プローブが、ａｐｏＥリポタンパク質またはその断片を含み、前記ａｐｏＥまたはその断片が、ＨＤＬに対して高い特異性を有する、項目８５から９７のいずれか一項に記載のキット。
（項目１１３）
前記ａｐｏＥリポタンパク質またはその断片がａｐｏＥ３リポタンパク質またはその断片である、項目１１２に記載のキット。
（項目１１４）
前記スピンラベルが前記ａｐｏＥリポタンパク質の単一の部位のアミノ酸に共有結合によって付着している、項目１１２または１１３に記載のキット。
（項目１１５）
前記ａｐｏＥタンパク質の前記単一の部位のネイティブなアミノ酸残基がシステイン残基によって置き換えられている、項目１１４に記載のキット。
（項目１１６）
前記スピンラベルしたリポタンパク質プローブが、ＨＤＬに対して高い特異性を有するａｐｏＡ−Ｉ模倣物を含む、項目８５から９７のいずれか一項に記載のキット。
（項目１１７）
前記ａｐｏＡ−Ｉ模倣物が１８Ａ、１８Ａ−Ｐｒｏ−１８Ａ、４Ｆ、および４ｆ−Ｐｒｏ−４Ｆからなる群から選択される、項目１１６に記載のキット。
（項目１１８）
前記スピンラベルが、前記ａｐｏＡ−Ｉ模倣物の単一の部位に共有結合によって付着している、項目１１６または１１７に記載のキット。
（項目１１９）
前記スピンラベルが自由電子を担持する原子を含む、項目８５から１１８のいずれか一項に記載のキット。
（項目１２０）
自由電子を担持する前記原子が窒素である、項目１１９に記載のキット。
（項目１２１）
前記スピンラベルが、（１−オキシル−２，２，５，５−テトラメチル−Δ３−ピロリン−３−メチル）メタンチオスルホネート；（１−オキシル−２，２，５，５−テトラメチル−Δ３−ピロリン−３−メチル）メタンチオスルホネート−１５Ｎ；１−オキシル−２，２，５，５−テトラメチル−Δ３−ピロリン−３−メチル）メタンチオスルホネート−１５Ｎ，ｄ１５；（１−オキシル−２，２，５，５−テトラメチルピロリジン−３−イル）メチルメタンスルホネート；（−）−（１−オキシル−２，２，５，５−テトラメチルピロリジン−３−イル）メチルメタンスルホネート；（＋）−（１−オキシル−２，２，５，５−テトラメチルピロリジン−３−イル）メチルメタンスルホネート；３−（２−ヨードアセトアミド）−ＰＲＯＸＹＬ；３−ヨードメチル−（１−オキシ−２，２，５，５−テトラメチルピロリン）；１−オキシル−３−（マレイミドメチル）−２，２，５，５−テトラメチル−１−ピロリジン；（１−オキシル−２，２，３，５，５−ペンタメチル−Δ３−ピロリン−３−メチル）メタンチオスルホネート；Ｎ−（１−オキシル−２，２，６，６−テトラメチル−４−ピペリジニル）マレイミド；（１−オキシル−２，２，５，５−テトラメチルピロリジン−３−イル）メチルメタンチオスルホネート；（１−オキシル−２，２，５，５−テトラメチルピロリン−３−イル）カルバミドエチルメタンチオスルホネート；（１−オキシル−２，２，５，５−テトラメチルピロリン−３−イル）カルバミドヘキシルメタンチオスルホネート；（１−オキシル−２，２，５，５−テトラメチルピロリン−３−イル）カルバミドプロピルメタンメタンチオスルホネート；３−（２−ブロモアセトアミド）−２，２，５，５−テトラメチル−１−ピロリジニルオキシ、フリーラジカル；４−ブロモ−３−ヒドロキシメチル−１−オキシル−２，２，５，５−テトラメチル−δ３−ピロリン；３−ブロモメチル−２，５−ジヒドロ−２，２，５，５−テトラメチル−１Ｈ−ピロール−１−イルオキシ；４−ブロモ−（１−オキシル−２，２，５，５−テトラメチル−Δ３−ピロリン−３−メチル）メタンチオスルホネート；３−［２−（２−マレイミドエトキシ）エチルカルバモイル］−ＰＲＯＸＹＬ；３−マレイミド−ＰＲＯＸＬ、３−（２−マレイミドエチル−カルバモイル）−ＰＲＯＸＹＬ、フリーラジカル；３−（３−（２−ヨード−アセトアミド）−プロピル−カルバモイル）−ＰＲＯＸＹＬ、フリーラジカル；３−（２−ブロモ−アセトアミド−メチル）−ＰＲＯＸＹＬ、フリーラジカル；または３−（２−ヨード−アセトアミド−メチル）−ＰＲＯＸＹＬ、フリーラジカルである、項目１１９または１２０に記載のキット。
（項目１２２）
前記スピンラベルが過重水素化スピンラベルである、項目１２０または１２１に記載のキット。
（項目１２３）
前記スピンラベルが、前記リポタンパク質のアミノ酸にチオスルホネートを通じて付着している、項目１２０から１２２のいずれか一項に記載のキット。
（項目１２４）
前記スピンラベルが、前記スピンラベルと前記リポタンパク質との間のスペーサーをさらに含む、項目１２０のいずれか一項に記載のキット。
（項目１２５）
前記スペーサーがメタン、エタン、プロパンまたはブタンである、項目１２４に記載のキット。
（項目１２６）
前記スピンラベルしたリポタンパク質プローブの６０％超がＨＤＬと結合する、項目８５から１２５のいずれか一項に記載のキット。
（項目１２７）
前記ＨＤＬがＨＤＬ３である、項目１２６に記載のキット。
（項目１２８）
前記スピンラベルしたリポタンパク質プローブが、前記ｉｎ  ｖｉｔｒｏ血液試料に最終濃度約０．１ｍｇ／ｍｌ〜約１．１ｍｇ／ｍｌで添加されるように製剤化されている、項目８５から１２７のいずれか一項に記載のキット。
（項目１２９）
前記スピンラベルしたリポタンパク質プローブが、前記ｉｎ  ｖｉｔｒｏ血液試料に最終濃度約０．３ｍｇ／ｍｌで添加されるように製剤化されている、項目１２８に記載のキット。
（項目１３０）
前記スピンラベルしたリポタンパク質プローブが、前記ｉｎ  ｖｉｔｒｏ血液試料に最終濃度約０．８ｍｇ／ｍｌ超で添加されるように製剤化されている、項目１２８に記載のキット。
（項目１３１）
抗凝固薬をさらに含む、項目８５から１３０のいずれか一項に記載のキット。
（項目１３２）
前記抗凝固薬がヘパリン、クマジン、ワルファリン、ＥＤＴＡ、シトレートまたはオキザレートである、項目１３１に記載のキット。
（項目１３３）
シリンジをさらに含む、項目８５から１３２のいずれか一項に記載のキット。
（項目１３４）
ａｐｏＡ−ＩＩリポタンパク質またはその断片を含む組成物であって、前記ａｐｏＡ−ＩＩリポタンパク質がスピンラベルを含み、前記ａｐｏＡ−ＩＩリポタンパク質またはその断片がＨＤＬに対して高い特異性を有する組成物。
（項目１３５）
前記スピンラベルが前記ａｐｏＡ−ＩＩリポタンパク質またはその断片の単一の部位のアミノ酸に共有結合によって付着している、項目１３４に記載の組成物。
（項目１３６）
前記ａｐｏＡ−ＩＩタンパク質の前記単一の部位のネイティブなアミノ酸残基がシステイン残基によって置き換えられている、項目１３５に記載の組成物。
（項目１３７）
ＨＤＬに対して高い特異性を有し、スピンラベルを含むａｐｏＡ−Ｉ模倣物を含む組成物。
（項目１３８）
前記ａｐｏＡ−Ｉ模倣物が、１８Ａ、１８Ａ−Ｐｒｏ−１８Ａ、４Ｆ、および４ｆ−Ｐｒｏ−４Ｆからなる群から選択される、項目１３７に記載の組成物。
（項目１３９）
前記スピンラベルが、前記ａｐｏＡ−Ｉ模倣物の単一の部位に共有結合によって付着している、項目１３７または１３８に記載の組成物。
（項目１４０）
ａｐｏＡ−Ｉリポタンパク質またはその断片を含む組成物であって、前記ａｐｏＡ−Ｉリポタンパク質またはその断片がスピンラベルを含み、前記スピンラベルが、（１−オキシル−２，２，５，５−テトラメチルピロリジン−３−イル）メチルメタンスルホネート；（−）−（１−オキシル−２，２，５，５−テトラメチルピロリジン−３−イル）メチルメタンスルホネート；または（＋）−（１−オキシル−２，２，５，５−テトラメチルピロリジン−３−イル）メチルメタンスルホネートを含む組成物。
（項目１４１）
前記スピンラベルが、前記ａｐｏＡ−Ｉリポタンパク質の残基１８８〜残基２４３のうちの単一の部位のアミノ酸に共有結合によって付着している、項目１４０に記載の組成物。
（項目１４２）
前記スピンラベルが、前記ａｐｏＡ−Ｉリポタンパク質の２６位、４４位、６４位、９８位、１０１位、１１１位、１６７位、２１７位、または２２６位のアミノ酸に共有結合によって付着している、項目１４０または１４１に記載の組成物。
（項目１４３）
２６位、４４位、６４位、９８位、１０１位、１１１位、１６７位、２１７位、または２２６位のネイティブなアミノ酸残基がシステイン残基によって置き換えられている、項目１４２に記載の組成物。
（項目１４４）
前記スピンラベルが前記ａｐｏＡ−Ｉタンパク質の２１７位のシステイン残基に共有結合によって付着している、項目１４３に記載の組成物。
（項目１４５）
ｉｎ  ｖｉｔｒｏ血液試料と、ＨＤＬに対して高い特異性を有するスピンラベルしたリポタンパク質プローブとを含む組成物。
（項目１４６）
前記ｉｎ  ｖｉｔｒｏ血液試料が全血試料である、項目１４５に記載の組成物。
（項目１４７）
前記ｉｎ  ｖｉｔｒｏ血液試料が血漿試料である、項目１４５に記載の組成物。
（項目１４８）
前記ｉｎ  ｖｉｔｒｏ血液試料が血清試料である、項目１４５に記載の組成物。
（項目１４９）
前記ｉｎ  ｖｉｔｒｏ血液試料が１回または２回凍結解凍されている、項目１４５から１４８のいずれか一項に記載の組成物。
（項目１５０）
前記ｉｎ  ｖｉｔｒｏ血液試料が非ヒト哺乳動物血液試料である、項目１４５から１４９のいずれか一項に記載の組成物。
（項目１５１）
前記哺乳動物血液試料がヒト血液試料である、項目１４５から１４９のいずれか一項に記載の組成物。
（項目１５２）
前記スピンラベルしたリポタンパク質プローブが、ａｐｏＡ−Ｉまたはその断片を含み、前記ａｐｏＡ−Ｉまたはその断片がＨＤＬに対して高い特異性を有する、項目１４５から１５０のいずれか一項に記載の組成物。
（項目１５３）
前記スピンラベルしたリポタンパク質プローブが、ａｐｏＡ−ＩのＨＤＬ結合領域を含むａｐｏＡ−Ｉの断片を含む、項目１５２に記載の組成物。
（項目１５４）
前記スピンラベルが、前記ａｐｏＡ−Ｉリポタンパク質の単一の部位のアミノ酸に共有結合によって付着している、項目１５２または１５３に記載の組成物。
（項目１５５）
前記スピンラベルが、前記ａｐｏＡ−Ｉリポタンパク質の残基１８８〜残基２４３のうちの単一の部位のアミノ酸に共有結合によって付着している、項目１５２から１５４のいずれか一項に記載の組成物。
（項目１５６）
前記スピンラベルが、前記ａｐｏＡ−Ｉリポタンパク質の２６位、４４位、６４位、９８位、１０１位、１１１位、１６７位、２１７位、または２２６位のアミノ酸に共有結合によって付着している、項目１５２または１５３に記載の組成物。
（項目１５７）
２６位、４４位、６４位、９８位、１０１位、１１１位、１６７位、２１７位、または２２６位のネイティブなアミノ酸残基がシステイン残基によって置き換えられている、項目１５６に記載の組成物。
（項目１５８）
前記スピンラベルが前記ａｐｏＡ−Ｉタンパク質の２１７位のシステイン残基に共有結合によって付着している、項目１５７に記載の組成物。
（項目１５９）
前記スピンラベルが前記ａｐｏＡ−Ｉタンパク質の２１７位のシステイン残基に共有結合によって付着しており、前記スピンラベルが（１−オキシル−２，２，５，５−テトラメチル−Δ３−ピロリン−３−メチル）メタンチオスルホネートである、項目１５８に記載の組成物。
（項目１６０）
前記スピンラベルが前記ａｐｏＡ−Ｉタンパク質の１１１位のシステイン残基に共有結合によって付着しており、前記スピンラベルが（１−オキシル−２，２，５，５−テトラメチル−Δ３−ピロリン−３−メチル）メタンチオスルホネートである、項目１５７に記載の組成物。
（項目１６１）
前記スピンラベルしたリポタンパク質プローブが、ａｐｏＡ−ＩＩリポタンパク質またはその断片を含み、前記ａｐｏＡ−ＩＩまたはその断片が、ＨＤＬに対して高い特異性を有する、項目１４５から１５０のいずれか一項に記載の組成物。
（項目１６２）
前記スピンラベルが前記ａｐｏＡ−ＩＩリポタンパク質またはその断片の単一の部位のアミノ酸に共有結合によって付着している、項目１６１に記載の組成物。
（項目１６３）
前記ａｐｏＡ−ＩＩタンパク質の前記単一の部位のネイティブなアミノ酸残基がシステイン残基によって置き換えられている、項目１６１または１６２に記載の組成物。
（項目１６４）
前記スピンラベルしたリポタンパク質プローブが、ａｐｏＥリポタンパク質またはその断片を含み、前記ａｐｏＥまたはその断片が、ＨＤＬに対して高い特異性を有する、項目１４５から１５０のいずれか一項に記載の組成物。
（項目１６５）
前記ａｐｏＥリポタンパク質またはその断片がａｐｏＥ３リポタンパク質またはその断片である、項目１６４に記載の組成物。
（項目１６６）
前記スピンラベルが前記ａｐｏＥリポタンパク質の単一の部位のアミノ酸に共有結合によって付着している、項目１６３または１６４に記載の組成物。
（項目１６７）
前記ａｐｏＥタンパク質の前記単一の部位のネイティブなアミノ酸残基がシステイン残基によって置き換えられている、項目１６６に記載の組成物。
（項目１６８）
前記スピンラベルしたリポタンパク質プローブが、ａｐｏＡ−Ｉ模倣物を含み、前記ａｐｏＡ−Ｉ模倣物が、ＨＤＬに対して高い特異性を有し、前記ａｐｏＡ−Ｉ模倣物が、１８Ａ、１８Ａ−Ｐｒｏ−１８Ａ、４Ｆ、および４ｆ−Ｐｒｏ−４Ｆからなる群から選択される、項目１４５から１５０のいずれか一項に記載の組成物。
（項目１６９）
前記スピンラベルが、前記ａｐｏＡ−Ｉ模倣物の単一の部位に共有結合によって付着している、項目１６７または１６８に記載の組成物。
（項目１７０）
前記スピンラベルが自由電子を担持する原子を含む、項目１４５から１６９のいずれか一項に記載の組成物。
（項目１７１）
自由電子を担持する前記原子が窒素である、項目１７０に記載の組成物。
（項目１７２）
前記スピンラベルが、（１−オキシル−２，２，５，５−テトラメチル−Δ３−ピロリン−３−メチル）メタンチオスルホネート；（１−オキシル−２，２，５，５−テトラメチル−Δ３−ピロリン−３−メチル）メタンチオスルホネート−１５Ｎ；１−オキシル−２，２，５，５−テトラメチル−Δ３−ピロリン−３−メチル）メタンチオスルホネート−１５Ｎ，ｄ１５；（１−オキシル−２，２，５，５−テトラメチルピロリジン−３−イル）メチルメタンスルホネート；（−）−（１−オキシル−２，２，５，５−テトラメチルピロリジン−３−イル）メチルメタンスルホネート；（＋）−（１−オキシル−２，２，５，５−テトラメチルピロリジン−３−イル）メチルメタンスルホネート；３−（２−ヨードアセトアミド）−ＰＲＯＸＹＬ；３−ヨードメチル−（１−オキシ−２，２，５，５−テトラメチルピロリン）；１−オキシル−３−（マレイミドメチル）−２，２，５，５−テトラメチル−１−ピロリジン；（１−オキシル−２，２，３，５，５−ペンタメチル−Δ３−ピロリン−３−メチル）メタンチオスルホネート；Ｎ−（１−オキシル−２，２，６，６−テトラメチル−４−ピペリジニル）マレイミド；（１−オキシル−２，２，５，５−テトラメチルピロリジン−３−イル）メチルメタンチオスルホネート；（１−オキシル−２，２，５，５−テトラメチルピロリン−３−イル）カルバミドエチルメタンチオスルホネート；（１−オキシル−２，２，５，５−テトラメチルピロリン−３−イル）カルバミドヘキシルメタンチオスルホネート；（１−オキシル−２，２，５，５−テトラメチルピロリン−３−イル）カルバミドプロピルメタンメタンチオスルホネート；３−（２−ブロモアセトアミド）−２，２，５，５−テトラメチル−１−ピロリジニルオキシ、フリーラジカル；４−ブロモ−３−ヒドロキシメチル−１−オキシル−２，２，５，５−テトラメチル−δ３−ピロリン；３−ブロモメチル−２，５−ジヒドロ−２，２，５，５−テトラメチル−１Ｈ−ピロール−１−イルオキシ；４−ブロモ−（１−オキシル−２，２，５，５−テトラメチル−Δ３−ピロリン−３−メチル）メタンチオスルホネート；３−［２−（２−マレイミドエトキシ）エチルカルバモイル］−ＰＲＯＸＹＬ；３−マレイミド−ＰＲＯＸＬ、３−（２−マレイミドエチル−カルバモイル）−ＰＲＯＸＹＬ、フリーラジカル；３−（３−（２−ヨード−アセトアミド）−プロピル−カルバモイル）−ＰＲＯＸＹＬ、フリーラジカル；３−（２−ブロモ−アセトアミド−メチル）−ＰＲＯＸＹＬ、フリーラジカル；または３−（２−ヨード−アセトアミド−メチル）−ＰＲＯＸＹＬ、フリーラジカルである、項目１７０または１７１に記載の組成物。
（項目１７３）
前記スピンラベルが過重水素化スピンラベルである、項目１７１または１７２に記載の組成物。
（項目１７４）
前記スピンラベルが、前記リポタンパク質のアミノ酸にチオスルホネートを通じて付着している、項目１７１から１７３のいずれか一項に記載の組成物。
（項目１７５）
前記スピンラベルが、前記スピンラベルと前記リポタンパク質との間のスペーサーをさらに含む、項目１７４に記載の組成物。
（項目１７６）
前記スペーサーがメタン、エタン、プロパンまたはブタンである、項目１７５に記載の組成物。
（項目１７７）
前記スピンラベルしたリポタンパク質プローブがＨＤＬ３と結合する、項目１４５から１７６のいずれか一項に記載の組成物。
（項目１７８）
前記スピンラベルしたリポタンパク質プローブの６０％超がＨＤＬ３と結合する、項目１７７に記載の組成物。
（項目１７９）
抗凝固薬をさらに含む、項目１４５から１７８のいずれか一項に記載の組成物。
（項目１８０）
前記抗凝固薬がヘパリン、クマジン、ワルファリン、ＥＤＴＡ、シトレートまたはオキザレートである、項目１７９に記載の組成物。
（項目１８１）
前記１または複数の第２の個体のスペクトルがヒストリカルスペクトルである、項目７３または７４に記載の方法。
（項目１８２）
前記個体に前記療法を施す前に前記個体由来のｉｎ  ｖｉｔｒｏ血液試料のコレステロール逆転送能力を決定するステップをさらに含む、項目７７に記載の方法。
（項目１８３）
前記試験個体が試験動物である、項目８０に記載の方法。
（項目１８４）
前記試験動物に前記療法を施す前に前記個体由来のｉｎ  ｖｉｔｒｏ血液試料のコレステロール逆転送能力を決定するステップをさらに含む、項目８３に記載の方法。
（項目１８５）
ＨＤＬのコレステロール逆転送を支持する能力を測定するための組成物であって、前記組成物は、試験片を含み、前記試験片は、スピンラベルしたリポタンパク質プローブおよび固体支持体を含み、前記スピンラベルしたリポタンパク質プローブが、スピンラベルおよびタンパク質を含み、前記スピンラベルしたリポタンパク質プローブが、ＨＤＬに対して高い特異性を有する組成物。
（項目１８６）
前記コレステロール逆転送が流体のコレステロール流出潜在力である、項目１８５に記載の組成物。
（項目１８７）
血液試料または脳脊髄液試料から選択される試料とともに使用するために製剤化されている、項目１８５に記載の組成物。
（項目１８８）
前記血液試料が全血試料、血漿試料、および血清試料から選択される、項目１８７に記載の組成物。
（項目１８９）
前記試料が哺乳動物血液試料である、項目１８７に記載の組成物。
（項目１９０）
前記哺乳動物試料がヒト血液試料である、項目１８８に記載の組成物。
（項目１９１）
前記スピンラベルしたリポタンパク質プローブが、ａｐｏＡ−Ｉポリペプチドまたはその断片を含む、項目１８５に記載の組成物。
（項目１９２）
前記スピンラベルしたリポタンパク質プローブが、ａｐｏＡ−ＩのＨＤＬ結合領域を含むａｐｏＡ−Ｉ断片を含む、項目１９１に記載の組成物。
（項目１９３）
前記スピンラベルが前記ａｐｏＡ−Ｉリポタンパク質またはその断片の単一の部位のアミノ酸に共有結合によって付着している、項目１９１または１９２に記載の組成物。
（項目１９４）
前記スピンラベルが、残基１８８〜残基２４３に位置する前記ａｐｏＡ−Ｉリポタンパク質のアミノ酸残基に共有結合によって付着している、項目１９３に記載の組成物。
（項目１９５）
前記スピンラベルが、前記ａｐｏＡ−Ｉリポタンパク質の２６位、４４位、６４位、９８位、１０１位、１１１位、１６７位、２１７位、または２２６位のアミノ酸に共有結合によって付着している、項目１９３に記載の組成物。
（項目１９６）
前記スピンラベルが、前記ａｐｏＡ−Ｉリポタンパク質の９８位、１１１位または２１７位のアミノ酸に共有結合によって付着している、項目１９５に記載の組成物。
（項目１９７）
前記スピンラベルが、前記ａｐｏＡ−Ｉリポタンパク質の２６位、４４位、６４位、１０１位、１６７位または２２６位のアミノ酸に共有結合によって付着している、項目１９５に記載の組成物。
（項目１９８）
９８位、１１１位、または２１７位のネイティブなアミノ酸残基がシステイン残基によって置き換えられている、項目１９５に記載の組成物。
（項目１９９）
２６位、４４位、６４位、１０１位、１６７位、または２２６位のネイティブなアミノ酸残基がシステイン残基によって置き換えられている、項目１９５に記載の組成物。
（項目２００）
前記スピンラベルが前記ａｐｏＡ−Ｉタンパク質の２１７位のシステイン残基に共有結合によって付着している、項目１９８に記載の組成物。
（項目２０１）
前記スピンラベルが前記ａｐｏＡ−Ｉタンパク質の２１７位のシステイン残基に共有結合によって付着しており、前記スピンラベルが（１−オキシル−２，２，５，５−テトラメチル−Δ３−ピロリン−３−メチル）メタンチオスルホネートである、項目２００に記載の組成物。
（項目２０２）
前記スピンラベルが前記ａｐｏＡ−Ｉタンパク質の１１１位のシステイン残基に共有結合によって付着しており、前記スピンラベルが（１−オキシル−２，２，５，５−テトラメチル−Δ３−ピロリン−３−メチル）メタンチオスルホネートである、項目１９８に記載の組成物。
（項目２０３）
前記スピンラベルしたリポタンパク質プローブが、ａｐｏＡ−ＩＩリポタンパク質またはその断片を含み、前記ａｐｏＡ−ＩＩまたはその断片が、ＨＤＬに対して高い特異性を有する、項目１８５から１９０のいずれか一項に記載の組成物。
（項目２０４）
前記ａｐｏＡ−ＩＩまたはその断片、ここで、全リポタンパク質分子の６０％以上、７０％以上、８０％以上、または９０％以上がＨＤＬと会合する、項目２０３に記載の組成物。
（項目２０５）
前記スピンラベルが前記ａｐｏＡ−ＩＩリポタンパク質またはその断片の単一の部位のアミノ酸に共有結合によって付着している、項目２０３に記載の組成物。
（項目２０６）
前記ａｐｏＡ−ＩＩタンパク質の前記単一の部位のネイティブなアミノ酸残基がシステイン残基によって置き換えられている、項目２０５に記載の組成物。
（項目２０７）
前記スピンラベルしたリポタンパク質プローブが、ａｐｏＥリポタンパク質またはその断片を含み、前記ａｐｏＥまたはその断片が、ＨＤＬに対して高い特異性を有する、項目１８５から１９０のいずれか一項に記載の組成物。
（項目２０８）
前記ａｐｏＥリポタンパク質またはその断片がａｐｏＥ３リポタンパク質またはその断片である、項目２０７に記載の組成物。
（項目２０９）
前記スピンラベルが前記ａｐｏＥリポタンパク質の単一の部位のアミノ酸に共有結合によって付着している、項目２０７または２０８に記載の組成物。
（項目２１０）
前記ａｐｏＥタンパク質の前記単一の部位のネイティブなアミノ酸残基がシステイン残基によって置き換えられている、項目２０９に記載の組成物。
（項目２１１）
前記スピンラベルしたリポタンパク質プローブが、ＨＤＬに対して高い特異性を有するａｐｏＡ−Ｉ模倣物を含む、項目１８５から１９０のいずれか一項に記載の組成物。
（項目２１２）
前記ａｐｏＡ−Ｉ模倣物が１８Ａ、１８Ａ−Ｐｒｏ−１８Ａ、４Ｆ、および４ｆ−Ｐｒｏ−４Ｆからなる群から選択される、項目２１１に記載の組成物。
（項目２１３）
前記スピンラベルが、前記ａｐｏＡ−Ｉ模倣物の単一の部位に共有結合によって付着している、項目２１１または２１２に記載の組成物。
（項目２１４）
前記スピンラベルが自由電子を担持する原子を含む、項目１８５から２１３のいずれか一項に記載の組成物。
（項目２１５）
自由電子を担持する前記原子が窒素である、項目２１４に記載の組成物。
（項目２１６）
前記スピンラベルが、（１−オキシル−２，２，５，５−テトラメチル−Δ３−ピロリン−３−メチル）メタンチオスルホネート；（１−オキシル−２，２，５，５−テトラメチル−Δ３−ピロリン−３−メチル）メタンチオスルホネート−１５Ｎ；１−オキシル−２，２，５，５−テトラメチル−Δ３−ピロリン−３−メチル）メタンチオスルホネート−１５Ｎ，ｄ１５；（１−オキシル−２，２，５，５−テトラメチルピロリジン−３−イル）メチルメタンスルホネート；（−）−（１−オキシル−２，２，５，５−テトラメチルピロリジン−３−イル）メチルメタンスルホネート；（＋）−（１−オキシル−２，２，５，５−テトラメチルピロリジン−３−イル）メチルメタンスルホネート；３−（２−ヨードアセトアミド）−ＰＲＯＸＹＬ；３−ヨードメチル−（１−オキシ−２，２，５，５−テトラメチルピロリン）；１−オキシル−３−（マレイミドメチル）−２，２，５，５−テトラメチル−１−ピロリジン；（１−オキシル−２，２，３，５，５−ペンタメチル−Δ３−ピロリン−３−メチル）メタンチオスルホネート；Ｎ−（１−オキシル−２，２，６，６−テトラメチル−４−ピペリジニル）マレイミド；（１−オキシル−２，２，５，５−テトラメチルピロリジン−３−イル）メチルメタンチオスルホネート；（１−オキシル−２，２，５，５−テトラメチルピロリン−３−イル）カルバミドエチルメタンチオスルホネート；（１−オキシル−２，２，５，５−テトラメチルピロリン−３−イル）カルバミドヘキシルメタンチオスルホネート；（１−オキシル−２，２，５，５−テトラメチルピロリン−３−イル）カルバミドプロピルメタンメタンチオスルホネート；３−（２−ブロモアセトアミド）−２，２，５，５−テトラメチル−１−ピロリジニルオキシ、フリーラジカル；４−ブロモ−３−ヒドロキシメチル−１−オキシル−２，２，５，５−テトラメチル−δ３−ピロリン；３−ブロモメチル−２，５−ジヒドロ−２，２，５，５−テトラメチル−１Ｈ−ピロール−１−イルオキシ；４−ブロモ−（１−オキシル−２，２，５，５−テトラメチル−Δ３−ピロリン−３−メチル）メタンチオスルホネート；３−［２−（２−マレイミドエトキシ）エチルカルバモイル］−ＰＲＯＸＹＬ；３−マレイミド−ＰＲＯＸＬ、３−（２−マレイミドエチル−カルバモイル）−ＰＲＯＸＹＬ、フリーラジカル；３−（３−（２−ヨード−アセトアミド）−プロピル−カルバモイル）−ＰＲＯＸＹＬ、フリーラジカル；３−（２−ブロモ−アセトアミド−メチル）−ＰＲＯＸＹＬ、フリーラジカル；または３−（２−ヨード−アセトアミド−メチル）−ＰＲＯＸＹＬ、フリーラジカルである、項目２１４または２１５に記載の組成物。
（項目２１７）
前記スピンラベルが過重水素化スピンラベルである、項目２１５または２１６に記載の組成物。
（項目２１８）
前記スピンラベルが、前記リポタンパク質のアミノ酸にチオスルホネートを通じて付着している、項目２１４から２１７のいずれか一項に記載の組成物。
（項目２１９）
前記スピンラベルしたリポタンパク質が、前記スピンラベルと前記リポタンパク質との間のスペーサーをさらに含む、項目２１４から２１８のいずれか一項に記載の組成物。
（項目２２０）
前記スペーサーがメタン、エタン、プロパンまたはブタンである、項目２１９に記載の組成物。
（項目２２１）
前記スピンラベルしたリポタンパク質プローブの６０％超がＨＤＬと結合する、項目１８５から２２０のいずれか一項に記載の組成物。
（項目２２２）
前記ＨＤＬがＨＤＬ３である、項目２２１に記載の組成物。
（項目２２３）
前記固体支持体が、常磁性が低いポリマー材料またはセルロース系材料から選択される、項目１８５から２２２のいずれか一項に記載の組成物。
（項目２２４）
前記固体支持体が吸着性材料である、項目１８５から２２２のいずれか一項に記載の組成物。
（項目２２５）
前記吸着性材料がポリフッ化ビニリデン（ＰＶＤＦ）、ナイロンまたはニトロセルロースである、項目２２４に記載の組成物。
（項目２２６）
前記固体支持体が吸着性材料をさらに含む、項目１８５から２２３のいずれか一項に記載の組成物。
（項目２２７）
前記スピンラベルしたリポタンパク質プローブが前記固体支持体に共有結合によって付着している、項目１８５から２２５のいずれか一項に記載の組成物。
（項目２２８）
前記スピンラベルしたリポタンパク質プローブが前記吸着性材料に共有結合によって付着している、項目２２６に記載の組成物。
（項目２２９）
前記スピンラベルしたリポタンパク質プローブが前記試験片に静電気によって付着している、項目１８５から２２５のいずれか一項に記載の組成物。
（項目２３０）
前記スピンラベルしたリポタンパク質プローブが前記吸着性材料に静電気によって付着している、項目２２６に記載の組成物。
（項目２３１）
前記スピンラベルしたリポタンパク質プローブが前記試験片に疎水性相互作用によって付着している、項目１８５から２２５のいずれか一項に記載の組成物。
（項目２３２）
前記スピンラベルしたリポタンパク質プローブが前記吸着性材料に疎水性相互作用によって付着している、項目２２６に記載の組成物。
（項目２３３）
前記スピンラベルしたリポタンパク質プローブが前記試験片に疎水性相互作用および静電気によって付着している、項目１８５から２２５のいずれか一項に記載の組成物。
（項目２３４）
前記スピンラベルしたリポタンパク質プローブが前記吸着性材料に疎水性相互作用および静電気によって付着している、項目２２６に記載の組成物。
（項目２３５）
前記スピンラベルしたリポタンパク質プローブが前記吸着性材料内に捕捉されている、項目２２６に記載の組成物。
（項目２３６）
前記スピンラベルしたリポタンパク質プローブが前記固体支持体または吸着性材料上で乾燥されている、項目２２６に記載の組成物。
（項目２３７）
前記試験片がスピンラベルした参照プローブをさらに含む、項目１８５から２３６のいずれか一項に記載の組成物。
（項目２３８）
前記スピンラベルした参照プローブがＨＤＬの存在の影響を受けないスピンプローブである、項目２３７に記載の組成物。
（項目２３９）
前記スピンラベルした参照プローブが、テトラメチルピペリジン（ＴＥＭＰＯ；２，２，６，６−テトラメチルピペリジン−１−オキシル）、ＴＥＭＰＯＬ（４−ヒドロキシ−２，２，６，６−テトラメチルピペリジン−１−オキシル）、ＴＡＭＩＮＥ（４−アミノ−２，２，６，６−テトラメチルピペリジン−１−オキシル）、ＢＺＯＮＯ（４−（ベンゾイルオキシ）−２，２，６，６−テトラメチルピペリジン−１−オキシル）、ＳＬＰＥＯ（ポリ（エチレンオキシド）−２，２，６，６−テトラメチル−ピペリジン−１−オキシル）、およびテトラシアノキノジメタン（ＴＣＮＱ；２，５−シクロヘキサジエン−１，４−ジイリデン）ジマロノニトリル、７，７，８，８−テトラシアノキノジメタン）から選択される、項目２３７に記載の組成物。
（項目２４０）
前記試験片が２種以上のスピンラベルしたリポタンパク質プローブを含む、項目１８５から２３７のいずれか一項に記載の組成物。
（項目２４１）
前記試験片が治療薬または治療薬候補をさらに含む、項目１８５から２４０のいずれか一項に記載の組成物。
（項目２４２）
前記治療薬または治療薬候補がＣＥＴＰ阻害剤である、項目２４１に記載の組成物。
（項目２４３）
前記治療薬または治療薬候補がトルセトラピブ、アナセトラピブ、ダルセトラピブまたはエバセトラピブである、項目２４２に記載の組成物。
（項目２４４）
ｉｎ  ｖｉｔｒｏ試料の、ＨＤＬのコレステロール逆転送を支持する能力をＥＰＲによって測定するためのキットであって、固体支持体およびスピンラベルしたリポタンパク質プローブを含む試験片を含み、前記スピンラベルしたリポタンパク質プローブが、スピンラベルおよびタンパク質を含み、前記スピンラベルしたリポタンパク質プローブが、ＨＤＬに対して高い特異性を有するキット。
（項目２４５）
コレステロール流出潜在力を調節するための治療薬の有効性を試験するためのキットであって、固体支持体およびスピンラベルしたリポタンパク質プローブを含む試験片を含み、前記スピンラベルしたリポタンパク質プローブが、スピンラベルおよびリポタンパク質を含み、前記スピンラベルしたリポタンパク質プローブが、ＨＤＬに対して高い特異性を有するキット。
（項目２４６）
個体における高コレステロール血症を治療するための治療薬の有益性を決定するためのキットであって、固体支持体、スピンラベルしたリポタンパク質プローブ、ならびに治療薬を含む試験片を含み、前記スピンラベルしたリポタンパク質プローブが、スピンラベルおよびリポタンパク質を含み、前記スピンラベルしたリポタンパク質プローブが、ＨＤＬに対して高い特異性を有するキット。
（項目２４７）
個体におけるアルツハイマー病を治療するための治療薬の有益性を決定するためのキットであって、固体支持体、スピンラベルしたリポタンパク質プローブ、ならびに治療薬を含む試験片を含み、前記スピンラベルしたリポタンパク質プローブが、スピンラベルおよびリポタンパク質を含み、前記スピンラベルしたリポタンパク質プローブが、ＨＤＬに対して高い特異性を有するキット。
（項目２４８）
前記スピンラベルしたリポタンパク質プローブが前記固体支持体上に存在する、項目２４４から２４７のいずれか一項に記載のキット。
（項目２４９）
１つまたは複数の追加的な試験片をさらに含む、項目２４８に記載のキット。
（項目２５０）
前記１つまたは複数の追加的な試験片が、前記スピンラベルしたリポタンパク質プローブを異なる量で含む、項目２４９に記載のキット。
（項目２５１）
前記スピンラベルしたリポタンパク質プローブが前記試験片とは別の容器に入っている、項目２４４から２４７のいずれか一項に記載のキット。
（項目２５２）
前記スピンラベルしたリポタンパク質プローブが乾燥粉末として提供される、項目２５１に記載のキット。
（項目２５３）
スピンラベル参照プローブをさらに含む、項目２４４から２５２のいずれか一項に記載のキット。
（項目２５４）
前記スピンラベル参照プローブが前記固体支持体上に存在する、項目２５３に記載のキット。
（項目２５５）
前記スピンラベル参照プローブが前記試験片とは別の容器に入っている、項目２５３に記載のキット。
（項目２５６）
前記スピンラベル参照プローブが乾燥粉末として提供される、項目２５５に記載のキット。
（項目２５７）
前記コレステロール逆転送が流体のコレステロール流出潜在力である、項目２４４から２５６のいずれか一項に記載のキット。
（項目２５８）
前記試験片が、血液試料または脳脊髄液試料から選択される試料とともに使用するために製剤化されている、項目２４４から２５６のいずれか一項に記載のキット。
（項目２５９）
前記血液試料が全血試料、血漿試料、および血清試料から選択される、項目２５８に記載のキット。
（項目２６０）
前記試料が哺乳動物血液試料である、項目２５８に記載のキット。
（項目２６１）
前記哺乳動物試料がヒト血液試料である、項目２６０に記載のキット。
（項目２６２）
前記スピンラベルしたリポタンパク質プローブが、ａｐｏＡ−Ｉポリペプチドまたはその断片を含む、項目２４４から２５６のいずれか一項に記載のキット。
（項目２６３）
前記スピンラベルしたリポタンパク質プローブが、ａｐｏＡ−ＩのＨＤＬ結合領域を含むａｐｏＡ−Ｉ断片を含む、項目２６２に記載のキット。
（項目２６４）
前記スピンラベルが前記ａｐｏＡ−Ｉリポタンパク質またはその断片の単一の部位のアミノ酸に共有結合によって付着している、項目２６２または２６３に記載のキット。
（項目２６５）
前記スピンラベルが、残基１８８〜残基２４３に位置する前記ａｐｏＡ−Ｉリポタンパク質のアミノ酸残基に共有結合によって付着している、項目２６４に記載のキット。
（項目２６６）
前記スピンラベルが、前記ａｐｏＡ−Ｉリポタンパク質の２６位、４４位、６４位、９８位、１０１位、１１１位、１６７位、２１７位、または２２６位のアミノ酸に共有結合によって付着している、項目２６５に記載のキット。
（項目２６７）
前記スピンラベルが、前記ａｐｏＡ−Ｉリポタンパク質の９８位、１１１位または２１７位のアミノ酸に共有結合によって付着している、項目２６６に記載のキット。
（項目２６８）
前記スピンラベルが、前記ａｐｏＡ−Ｉリポタンパク質の２６位、４４位、６４位、１０１位、１６７位または２２６位のアミノ酸に共有結合によって付着している、項目２６６に記載のキット。
（項目２６９）
９８位、１１１位、または２１７位のネイティブなアミノ酸残基がシステイン残基によって置き換えられている、項目２６６に記載のキット。
（項目２７０）
２６位、４４位、６４位、１０１位、１６７位、または２２６位のネイティブなアミノ酸残基がシステイン残基によって置き換えられている、項目２６６に記載のキット。
（項目２７１）
前記スピンラベルが前記ａｐｏＡ−Ｉタンパク質の２１７位のシステイン残基に共有結合によって付着している、項目２６９に記載のキット。
（項目２７２）
前記スピンラベルが前記ａｐｏＡ−Ｉタンパク質の２１７位のシステイン残基に共有結合によって付着しており、前記スピンラベルが（１−オキシル−２，２，５，５−テトラメチル−Δ３−ピロリン−３−メチル）メタンチオスルホネートである、項目２７１に記載のキット。
（項目２７３）
前記スピンラベルが前記ａｐｏＡ−Ｉタンパク質の１１１位のシステイン残基に共有結合によって付着しており、前記スピンラベルが（１−オキシル−２，２，５，５−テトラメチル−Δ３−ピロリン−３−メチル）メタンチオスルホネートである、項目２６９に記載のキット。
（項目２７４）
前記スピンラベルしたリポタンパク質プローブが、ａｐｏＡ−ＩＩリポタンパク質またはその断片を含み、前記ａｐｏＡ−ＩＩまたはその断片が、ＨＤＬに対して高い特異性を有する、項目２４４から２６１のいずれか一項に記載のキット。
（項目２７５）
前記ａｐｏＡ−ＩＩまたはその断片、ここで、全リポタンパク質分子の６０％以上、７０％以上、８０％以上、または９０％以上がＨＤＬと会合する、項目２７４に記載のキット。
（項目２７６）
前記スピンラベルが前記ａｐｏＡ−ＩＩリポタンパク質またはその断片の単一の部位のアミノ酸に共有結合によって付着している、項目２７４に記載のキット。
（項目２７７）
前記ａｐｏＡ−ＩＩタンパク質の前記単一の部位のネイティブなアミノ酸残基がシステイン残基によって置き換えられている、項目２７６に記載のキット。
（項目２７８）
前記スピンラベルしたリポタンパク質プローブが、ａｐｏＥリポタンパク質またはその断片を含み、前記ａｐｏＥリポタンパク質またはその断片が、ＨＤＬに対して高い特異性を有する、項目２４４から２６１のいずれか一項に記載のキット。
（項目２７９）
前記ａｐｏＥリポタンパク質またはその断片がａｐｏＥ３リポタンパク質またはその断片である、項目２７８に記載のキット。
（項目２８０）
前記スピンラベルが前記ａｐｏＥリポタンパク質の単一の部位のアミノ酸に共有結合によって付着している、項目２７８または２７９に記載のキット。
（項目２８１）
前記ａｐｏＥタンパク質の前記単一の部位のネイティブなアミノ酸残基がシステイン残基によって置き換えられている、項目２８０に記載のキット。
（項目２８２）
前記スピンラベルしたリポタンパク質プローブが、ＨＤＬに対して高い特異性を有するａｐｏＡ−Ｉ模倣物を含む、項目２４４から２６１のいずれか一項に記載のキット。
（項目２８３）
前記ａｐｏＡ−Ｉ模倣物が１８Ａ、１８Ａ−Ｐｒｏ−１８Ａ、４Ｆ、および４ｆ−Ｐｒｏ−４Ｆからなる群から選択される、項目２８２に記載のキット。
（項目２８４）
前記スピンラベルが、前記ａｐｏＡ−Ｉ模倣物の単一の部位に共有結合によって付着している、項目２８２または２８３に記載のキット。
（項目２８５）
前記スピンラベルが自由電子を担持する原子を含む、項目２４４から２８４のいずれか一項に記載のキット。
（項目２８６）
自由電子を担持する前記原子が窒素である、項目２８５に記載のキット。
（項目２８７）
前記スピンラベルが、（１−オキシル−２，２，５，５−テトラメチル−Δ３−ピロリン−３−メチル）メタンチオスルホネート；（１−オキシル−２，２，５，５−テトラメチル−Δ３−ピロリン−３−メチル）メタンチオスルホネート−１５Ｎ；１−オキシル−２，２，５，５−テトラメチル−Δ３−ピロリン−３−メチル）メタンチオスルホネート−１５Ｎ，ｄ１５；（１−オキシル−２，２，５，５−テトラメチルピロリジン−３−イル）メチルメタンスルホネート；（−）−（１−オキシル−２，２，５，５−テトラメチルピロリジン−３−イル）メチルメタンスルホネート；（＋）−（１−オキシル−２，２，５，５−テトラメチルピロリジン−３−イル）メチルメタンスルホネート；３−（２−ヨードアセトアミド）−ＰＲＯＸＹＬ；３−ヨードメチル−（１−オキシ−２，２，５，５−テトラメチルピロリン）；１−オキシル−３−（マレイミドメチル）−２，２，５，５−テトラメチル−１−ピロリジン；（１−オキシル−２，２，３，５，５−ペンタメチル−Δ３−ピロリン−３−メチル）メタンチオスルホネート；Ｎ−（１−オキシル−２，２，６，６−テトラメチル−４−ピペリジニル）マレイミド；（１−オキシル−２，２，５，５−テトラメチルピロリジン−３−イル）メチルメタンチオスルホネート；（１−オキシル−２，２，５，５−テトラメチルピロリン−３−イル）カルバミドエチルメタンチオスルホネート；（１−オキシル−２，２，５，５−テトラメチルピロリン−３−イル）カルバミドヘキシルメタンチオスルホネート；（１−オキシル−２，２，５，５−テトラメチルピロリン−３−イル）カルバミドプロピルメタンメタンチオスルホネート；３−（２−ブロモアセトアミド）−２，２，５，５−テトラメチル−１−ピロリジニルオキシ、フリーラジカル；４−ブロモ−３−ヒドロキシメチル−１−オキシル−２，２，５，５−テトラメチル−δ３−ピロリン；３−ブロモメチル−２，５−ジヒドロ−２，２，５，５−テトラメチル−１Ｈ−ピロール−１−イルオキシ；４−ブロモ−（１−オキシル−２，２，５，５−テトラメチル−Δ３−ピロリン−３−メチル）メタンチオスルホネート；３−［２−（２−マレイミドエトキシ）エチルカルバモイル］−ＰＲＯＸＹＬ；３−マレイミド−ＰＲＯＸＬ、３−（２−マレイミドエチル−カルバモイル）−ＰＲＯＸＹＬ、フリーラジカル；３−（３−（２−ヨード−アセトアミド）−プロピル−カルバモイル）−ＰＲＯＸＹＬ、フリーラジカル；３−（２−ブロモ−アセトアミド−メチル）−ＰＲＯＸＹＬ、フリーラジカル；または３−（２−ヨード−アセトアミド−メチル）−ＰＲＯＸＹＬ、フリーラジカルである、項目２８５または２８６に記載のキット。
（項目２８８）
前記スピンラベルが過重水素化スピンラベルである、項目２８６または２８７に記載のキット。
（項目２８９）
前記スピンラベルが、前記リポタンパク質のアミノ酸にチオスルホネートを通じて付着している、項目２８６から２８８のいずれか一項に記載のキット。
（項目２９０）
前記スピンラベルしたリポタンパク質が、前記スピンラベルと前記リポタンパク質との間のスペーサーをさらに含む、項目２８５から２８９のいずれか一項に記載のキット。
（項目２９１）
前記スペーサーがメタン、エタン、プロパンまたはブタンである、項目２９０に記載のキット。
（項目２９２）
前記スピンラベルしたリポタンパク質プローブの６０％超がＨＤＬと結合する、項目２４４から２９１のいずれか一項に記載のキット。
（項目２９３）
前記ＨＤＬがＨＤＬ３である、項目２９２に記載のキット。
（項目２９４）
前記固体支持体が、常磁性が低いポリマー材料またはセルロース系材料から選択される、項目２４４から２９３のいずれか一項に記載のキット。
（項目２９５）
前記固体支持体が吸着性材料である、項目２４４から２９３のいずれか一項に記載のキット。
（項目２９６）
前記吸着性材料がポリフッ化ビニリデン（ＰＶＤＦ）、ナイロンまたはニトロセルロースである、項目２９５に記載のキット。
（項目２９７）
前記固体支持体が吸着性材料をさらに含む、項目２４４から２９４のいずれか一項に記載のキット。
（項目２９８）
前記スピンラベルしたリポタンパク質プローブが前記固体支持体に共有結合によって付着している、項目２４４から２８６のいずれか一項に記載のキット。
（項目２９９）
前記スピンラベルしたリポタンパク質プローブが前記吸着性材料に共有結合によって付着している、項目２９７に記載のキット。
（項目３００）
前記スピンラベルしたリポタンパク質プローブが前記試験片に静電気によって付着している、項目２４４から２９６のいずれか一項に記載のキット。
（項目３０１）
前記スピンラベルしたリポタンパク質プローブが前記吸着性材料に静電気によって付着している、項目２９７に記載のキット。
（項目３０２）
前記スピンラベルしたリポタンパク質プローブが前記試験片に疎水性相互作用によって付着している、項目２４４から２９６のいずれか一項に記載のキット。
（項目３０３）
前記スピンラベルしたリポタンパク質プローブが前記吸着性材料に疎水性相互作用によって付着している、項目２９７に記載のキット。
（項目３０４）
前記スピンラベルしたリポタンパク質プローブが前記試験片に疎水性相互作用および静電気によって付着している、項目２４４から２９６のいずれか一項に記載のキット。
（項目３０５）
前記スピンラベルしたリポタンパク質プローブが前記吸着性材料に疎水性相互作用および静電気によって付着している、項目２９７に記載のキット。
（項目３０６）
前記スピンラベルしたリポタンパク質プローブが前記吸着性材料内に捕捉されている、項目２９７に記載のキット。
（項目３０７）
前記スピンラベルしたリポタンパク質プローブが前記固体支持体または吸着性材料上で乾燥されている、項目２９７に記載のキット。
（項目３０８）
前記試験片がスピンラベルした参照プローブをさらに含む、項目２４４から３０７のいずれか一項に記載のキット。
（項目３０９）
前記スピンラベルした参照プローブがＨＤＬの存在の影響を受けないスピンプローブである、項目３０８に記載のキット。
（項目３１０）
前記スピンラベルした参照プローブが、テトラメチルピペリジン（ＴＥＭＰＯ；２，２，６，６−テトラメチルピペリジン−１−オキシル）、ＴＥＭＰＯＬ（４−ヒドロキシ−２，２，６，６−テトラメチルピペリジン−１−オキシル）、ＴＡＭＩＮＥ（４−アミノ−２，２，６，６−テトラメチルピペリジン−１−オキシル）、ＢＺＯＮＯ（４−（ベンゾイルオキシ）−２，２，６，６−テトラメチルピペリジン−１−オキシル）、ＳＬＰＥＯ（ポリ（エチレンオキシド）−２，２，６，６−テトラメチル−ピペリジン−１−オキシル）、およびテトラシアノキノジメタン（ＴＣＮＱ；２，５−シクロヘキサジエン−１，４−ジイリデン）ジマロノニトリル、７，７，８，８−テトラシアノキノジメタン）から選択される、項目３０９に記載のキット。
（項目３１１）
２種以上のスピンラベルしたリポタンパク質プローブを含む、項目２４４から３１０のいずれか一項に記載のキット。
（項目３１２）
前記試験片が治療薬または治療薬候補をさらに含む、項目２４４から３１１のいずれか一項に記載のキット。
（項目３１３）
前記治療薬または治療薬候補がＨＤＬ修飾治療薬またはＨＤＬ修飾治療薬候補である、項目３１２に記載のキット。
（項目３１４）
前記治療薬または治療薬候補がＣＥＴＰ阻害剤である、項目３１２に記載のキット。
（項目３１５）
前記治療薬または治療薬候補がトルセトラピブ（Ｔｏｒｃｅｔｒａｐｉｂ）、アナセトラピブ（Ａｎａｃｅｔｒａｐｉｂ）、ダルセトラピブ（Ｄａｌｃｅｔｒａｐｉｂ）またはエバセトラピブ（Ｅｖａｃｅｔｒａｐｉｂ）である、項目３１４に記載のキット。
（項目３１６）
凝固薬をさらに含む、項目２４４から３１５のいずれか一項に記載のキット。
（項目３１７）
前記凝固薬が、ヘパリン、クマジン、ワルファリン、ＥＤＴＡ、シトレートまたはオキザレートである、項目３１６に記載のキット。
（項目３１８）
使用説明書をさらに含む、項目２４４から３１７のいずれか一項に記載のキット。
（項目３１９）
試料中の高密度リポタンパク質（ＨＤＬ）のコレステロール逆転送を支持する能力を測定するための方法であって、
ａ）ｉｎ  ｖｉｔｒｏ試料を、固体支持体およびスピンラベルしたリポタンパク質プローブを含む試験片と接触させるステップであって、前記スピンラベルしたリポタンパク質プローブがスピンラベルおよびリポタンパク質を含み、前記スピンラベルしたリポタンパク質プローブがＨＤＬに対して高い特異性を有するステップと、
ｂ）前記試験片上の前記スピンラベルしたリポタンパク質プローブの電子常磁性共鳴（ＥＰＲ）スペクトルを収集するステップと
を含む方法。
（項目３２０）
試料中の高密度リポタンパク質（ＨＤＬ）のコレステロール逆転送を支持する能力を測定するための方法であって、
ａ）ｉｎ  ｖｉｔｒｏ試料を、スピンラベルしたリポタンパク質プローブと接触させるステップであって、前記スピンラベルしたリポタンパク質プローブが、スピンラベルおよびリポタンパク質を含み、前記スピンラベルしたリポタンパク質プローブが、ＨＤＬに対して高い特異性を有すると、
ｂ）前記ｉｎ  ｖｉｔｒｏ試料を、固体支持体を含む試験片と接触させるステップであって、前記スピンラベルしたリポタンパク質プローブの一部または全部が前記試験片に接着するステップと、
ｃ）前記試験片上の前記スピンラベルしたリポタンパク質プローブの電子常磁性共鳴（ＥＰＲ）スペクトルを収集するステップと
を含む方法。
（項目３２１）
ステップａ）およびｂ）が逐次的または同時になされる、項目３２０に記載の方法。
（項目３２２）
治療薬の、個体における高コレステロール血症またはアルツハイマー病を治療するための有益性を決定するための方法であって、
ａ）前記個体由来のｉｎ  ｖｉｔｒｏ試料を、固体支持体およびスピンラベルしたリポタンパク質プローブを含む試験片と接触させるステップであって、前記スピンラベルしたリポタンパク質プローブが、スピンラベルおよびリポタンパク質を含み、前記スピンラベルしたリポタンパク質プローブが、ＨＤＬに対して高い特異性を有する、ステップと、
ｂ）前記試験片上の前記スピンラベルしたリポタンパク質プローブの電子常磁性共鳴（ＥＰＲ）スペクトルを収集するステップと
を含み、
前記個体の前記試料のコレステロール流出潜在力が正常な個体からのコレステロール流出潜在力と比較して減少することが、前記個体にとって、前記高コレステロール血症またはアルツハイマー病を治療することに前記治療薬が有益である可能性があることを示す方法。
（項目３２３）
個体におけるアルツハイマー病を診断するための方法であって、
ａ）前記個体由来のｉｎ  ｖｉｔｒｏ試料を、固体支持体およびスピンラベルしたリポタンパク質プローブを含む試験片と接触させるステップであって、前記スピンラベルしたリポタンパク質プローブが、スピンラベルおよびリポタンパク質を含み、前記スピンラベルしたリポタンパク質プローブが、ＨＤＬに対して高い特異性を有する、ステップと、
ｂ）前記試験片上の前記スピンラベルしたリポタンパク質プローブの電子常磁性共鳴（ＥＰＲ）スペクトルを収集するステップと、
を含み、
前記個体の前記試料のコレステロール流出潜在力が正常な個体からのコレステロール流出潜在力と比較して減少することが、前記個体がアルツハイマー病を有する可能性があることを示す方法。
（項目３２４）
治療薬の、個体における高コレステロール血症またはアルツハイマー病を治療するための有益性を決定するための方法であって、
ａ）前記個体由来のｉｎ  ｖｉｔｒｏ試料を、スピンラベルしたリポタンパク質プローブと接触させるステップであって、前記スピンラベルしたリポタンパク質プローブは、スピンラベルおよびリポタンパク質を含み、前記スピンラベルしたリポタンパク質プローブは、ＨＤＬに対して高い特異性を有する、ステップと、
ｂ）前記ｉｎ  ｖｉｔｒｏ試料を、固体支持体を含む試験片と接触させるステップであって、前記スピンラベルしたリポタンパク質プローブの一部または全部が前記試験片に接着するステップと、
ｃ）前記試験片上の前記スピンラベルしたリポタンパク質プローブの電子常磁性共鳴（ＥＰＲ）スペクトルを収集するステップと
を含み、
前記個体の前記試料のコレステロール流出潜在力が正常な個体からのコレステロール流出潜在力と比較して減少することが、前記個体にとって、前記高コレステロール血症またはアルツハイマー病を治療することに前記治療薬が有益である可能性があることを示す方法。
（項目３２５）
ステップａ）およびｂ）が逐次的または同時になされる、項目３２４に記載の方法。
（項目３２６）
高コレステロール血症を治療するための療法を受けている個体において高コレステロール血症を治療するために治療薬の治療有効性を最適化するための方法であって、
ａ）前記個体由来のｉｎ  ｖｉｔｒｏ試料を、固体支持体およびスピンラベルしたリポタンパク質プローブを含む試験片と接触させるステップであって、前記スピンラベルしたリポタンパク質プローブが、スピンラベルおよびリポタンパク質を含み、前記スピンラベルしたリポタンパク質プローブが、ＨＤＬに対して高い特異性を有する、ステップと、
ｂ）前記試験片上の前記スピンラベルしたリポタンパク質プローブの電子常磁性共鳴（ＥＰＲ）スペクトルを収集するステップと
を含み、
前記個体の前記試料のコレステロール流出潜在力が療法を受ける前の前記個体由来の試料のコレステロール流出潜在力と比較して増加することが、前記個体にとって、高コレステロール血症を治療することに前記治療薬が有益である可能性があることを示す方法。
（項目３２７）
高コレステロール血症を治療するための療法を受けている個体において高コレステロール血症を治療するために治療薬の治療有効性を最適化するための方法であって、
ａ）前記個体由来のｉｎ  ｖｉｔｒｏ試料を、スピンラベルしたリポタンパク質プローブと接触させるステップであって、前記スピンラベルしたリポタンパク質プローブは、スピンラベルおよびリポタンパク質を含み、前記スピンラベルしたリポタンパク質プローブは、ＨＤＬに対して高い特異性を有すると、
ｂ）前記ｉｎ  ｖｉｔｒｏ試料を、固体支持体を含む試験片と接触させるステップであって、前記スピンラベルしたリポタンパク質プローブの一部または全部が前記試験片に接着するステップと、
ｃ）前記試験片上の前記スピンラベルしたリポタンパク質プローブの電子常磁性共鳴（ＥＰＲ）スペクトルを収集するステップと
を含み、
前記個体の前記試料のコレステロール流出潜在力が療法を受ける前の前記個体由来の試料のコレステロール流出潜在力と比較して増加することが、前記個体にとって、高コレステロール血症を治療することに前記治療薬が有益である可能性があることを示す方法。
（項目３２８）
ステップａ）およびｂ）が逐次的または同時になされる、項目３２７に記載の方法。
（項目３２９）
療法に応答してコレステロール流出潜在力が増加することが実証されれば療法が継続される、項目３２５または３２６に記載の方法。
（項目３３０）
前記療法に応答したコレステロール流出潜在力の変化を受けて療法が調節される、項目３２６から３２９のいずれか一項に記載の方法。
（項目３３１）
個体の血液のコレステロール流出能を調節するための候補治療薬をスクリーニングするための方法であって、
ａ）コレステロール流出能が低いｉｎ  ｖｉｔｒｏ試料を、固体支持体およびスピンラベルしたリポタンパク質プローブを含む試験片と接触させるステップであって、前記スピンラベルしたリポタンパク質プローブが、スピンラベルおよびリポタンパク質を含み、前記スピンラベルしたリポタンパク質プローブが、ＨＤＬに対して高い特異性を有する試験片と、
ｂ）前記試料を前記候補組成物と接触させるステップと、
ｂ）前記試験片上の前記スピンラベルしたリポタンパク質プローブの電子常磁性共鳴（ＥＰＲ）スペクトルを収集するステップと
を含み、
前記試料のコレステロール流出潜在力の増加が、前記組成物がコレステロール流出能を調節するために有用である可能性があることを示す方法。
（項目３３２）
個体のコレステロール流出能を調節するための候補治療薬をスクリーニングするための方法であって、
ａ）コレステロール流出能が低いｉｎ  ｖｉｔｒｏ試料を、スピンラベルしたリポタンパク質プローブと接触させるステップであって、前記スピンラベルしたリポタンパク質プローブは、スピンラベルおよびリポタンパク質を含み、前記スピンラベルしたリポタンパク質プローブは、ＨＤＬに対して高い特異性を有する、ステップと、
ｂ）前記ｉｎ  ｖｉｔｒｏ試料を前記候補治療薬と接触させるステップと、
ｃ）前記ｉｎ  ｖｉｔｒｏ試料を、固体支持体を含む試験片と接触させるステップであって、前記スピンラベルしたリポタンパク質プローブの一部または全部が前記試験片に接着するステップと、
ｄ）前記試験片上の前記スピンラベルしたリポタンパク質プローブの電子常磁性共鳴（ＥＰＲ）スペクトルを収集するステップと
を含み、
前記試料のコレステロール流出潜在力の増加が、前記組成物がコレステロール流出能を調節するために有用である可能性があることを示す方法。
（項目３３３）
ステップａ）、ｂ）およびｃ）が逐次的または同時になされる、項目３３２に記載の方法。
（項目３３４）
コレステロール流出潜在力の行動性調節因子を決定するための方法であって、
ａ）行動調節を受けている個体由来のｉｎ  ｖｉｔｒｏ試料を、固体支持体およびスピンラベルしたリポタンパク質プローブを含む試験片と接触させるステップであって、前記スピンラベルしたリポタンパク質プローブが、スピンラベルおよびリポタンパク質を含み、前記スピンラベルしたリポタンパク質プローブが、ＨＤＬに対して高い特異性を有する、ステップと、
ｂ）前記試験片上の前記スピンラベルしたリポタンパク質プローブの電子常磁性共鳴（ＥＰＲ）スペクトルを収集するステップと
を含み、
前記個体の前記試料のコレステロール流出潜在力が行動調節を受ける前の前記個体由来の試料のコレステロール流出潜在力と比較して増加することが、前記行動調節によりコレステロール流出能に利益がもたらされることを示す方法。
（項目３３５）
コレステロール流出潜在力の行動性調節因子を決定するための方法であって、
ａ）行動調節を受けている個体由来のｉｎ  ｖｉｔｒｏ試料を、スピンラベルしたリポタンパク質プローブと接触させるステップであって、前記スピンラベルしたリポタンパク質プローブが、スピンラベルおよびリポタンパク質を含み、前記スピンラベルしたリポタンパク質プローブが、ＨＤＬに対して高い特異性を有する、ステップと、
ｂ）前記ｉｎ  ｖｉｔｒｏ試料を、固体支持体を含む試験片と接触させるステップであって、前記スピンラベルしたリポタンパク質プローブの一部または全部が前記試験片に接着するステップと、
ｃ）前記試験片上の前記スピンラベルしたリポタンパク質プローブの電子常磁性共鳴（ＥＰＲ）スペクトルを収集するステップと
を含み、
前記個体の前記試料のコレステロール流出潜在力が行動調節を受ける前の前記個体由来の試料のコレステロール流出潜在力と比較して増加することが、前記行動調節によりコレステロール流出能に利益がもたらされることを示す方法。
（項目３３６）
ステップａ）およびｂ）が逐次的または同時になされる、項目３３５に記載の方法。
（項目３３７）
前記行動が食事、運動または喫煙である、項目３３４から３３６のいずれか一項に記載の方法。
（項目３３８）
前記試料が血液試料または脳脊髄液試料である、項目３１８から３３７のいずれか一項に記載の方法。
（項目３３９）
前記試料が血液試料である、項目３３８に記載の方法。
（項目３４０）
前記血液試料が全血試料、血漿試料、および血清試料から選択される、項目３３９に記載の方法。
（項目３４１）
前記試料が哺乳動物血液試料である、項目３４０に記載の組成物。
（項目３４２）
前記哺乳動物試料がヒト血液試料である、項目３４１に記載の組成物。
（項目３４３）
前記ＥＰＲスペクトルを、前記スピンラベルしたリポタンパク質プローブを前記ｉｎ  ｖｉｔｒｏ試料に添加した後の１つまたは複数の時点で収集する、項目３１８から３４２のいずれか一項に記載の方法。
（項目３４４）
前記ＥＰＲスペクトルを、前記スピンラベルしたリポタンパク質プローブを前記ｉｎ  ｖｉｔｒｏ試料に添加した後１．５分、４分、６分、８分、１０分、３０分、６０分の時点のうちの１つまたは複数でモニターする、項目３４３に記載の方法。
（項目３４５）
前記ＥＰＲスペクトルを０℃〜３７℃にわたる温度で収集する、項目３１８から３４４のいずれか一項に記載の方法。
（項目３４６）
前記スピンラベルしたリポタンパク質プローブが、ａｐｏＡ−Ｉポリペプチドまたはその断片を含む、項目３１８から３４５のいずれか一項に記載の方法。
（項目３４７）
前記スピンラベルしたリポタンパク質プローブが、ａｐｏＡ−ＩのＨＤＬ結合領域を含むａｐｏＡ−Ｉ断片を含む、項目３４６に記載の方法。
（項目３４８）
前記スピンラベルが前記ａｐｏＡ−Ｉリポタンパク質またはその断片の単一の部位のアミノ酸に共有結合によって付着している、項目３４６または３４７に記載の方法。
（項目３４９）
前記スピンラベルが、残基１８８〜残基２４３に位置する前記ａｐｏＡ−Ｉリポタンパク質のアミノ酸残基に共有結合によって付着している、項目３４８に記載の方法。
（項目３５０）
前記スピンラベルが、前記ａｐｏＡ−Ｉリポタンパク質の２６位、４４位、６４位、９８位、１０１位、１１１位、１６７位、２１７位、または２２６位のアミノ酸に共有結合によって付着している、項目３４８に記載の方法。
（項目３５１）
前記スピンラベルが、前記ａｐｏＡ−Ｉリポタンパク質の９８位、１１１位または２１７位のアミノ酸に共有結合によって付着している、項目３５０に記載の方法。
（項目３５２）
前記スピンラベルが、前記ａｐｏＡ−Ｉリポタンパク質の２６位、４４位、６４位、１０１位、１６７位または２２６位のアミノ酸に共有結合によって付着している、項目３５０に記載の方法。
（項目３５３）
９８位、１１１位、または２１７位のネイティブなアミノ酸残基がシステイン残基によって置き換えられている、項目３５０に記載の方法。
（項目３５４）
２６位、４４位、６４位、１０１位、１６７位、または２２６位のネイティブなアミノ酸残基がシステイン残基によって置き換えられている、項目３５０に記載の方法。
（項目３５５）
前記スピンラベルが前記ａｐｏＡ−Ｉタンパク質の２１７位のシステイン残基に共有結合によって付着している、項目３５３に記載の方法。
（項目３５６）
前記スピンラベルが前記ａｐｏＡ−Ｉタンパク質の２１７位のシステイン残基に共有結合によって付着しており、前記スピンラベルが（１−オキシル−２，２，５，５−テトラメチル−Δ３−ピロリン−３−メチル）メタンチオスルホネートである、項目３５５に記載の方法。
（項目３５７）
前記スピンラベルが前記ａｐｏＡ−Ｉタンパク質の１１１位のシステイン残基に共有結合によって付着しており、前記スピンラベルが（１−オキシル−２，２，５，５−テトラメチル−Δ３−ピロリン−３−メチル）メタンチオスルホネートである、項目３５３に記載の方法。
（項目３５８）
前記スピンラベルしたリポタンパク質プローブが、ａｐｏＡ−ＩＩリポタンパク質またはその断片を含み、前記ａｐｏＡ−ＩＩまたはその断片が、ＨＤＬに対して高い特異性を有する、項目３１８から３４５のいずれか一項に記載の方法。
（項目３５９）
前記ａｐｏＡ−ＩＩまたはその断片、ここで、全リポタンパク質分子の６０％以上、７０％以上、８０％以上、または９０％以上がＨＤＬと会合する、項目３５８に記載の方法。
（項目３６０）
前記スピンラベルが前記ａｐｏＡ−ＩＩリポタンパク質またはその断片の単一の部位のアミノ酸に共有結合によって付着している、項目３５８または３５９に記載の方法。
（項目３６１）
前記ａｐｏＡ−ＩＩタンパク質の前記単一の部位のネイティブなアミノ酸残基がシステイン残基によって置き換えられている、項目３６０に記載の方法。
（項目３６２）
前記スピンラベルしたリポタンパク質プローブが、ａｐｏＥリポタンパク質またはその断片を含み、前記ａｐｏＥまたはその断片が、ＨＤＬに対して高い特異性を有する、項目３１８から３４５のいずれか一項に記載の方法。
（項目３６３）
前記ａｐｏＥリポタンパク質またはその断片がａｐｏＥ３リポタンパク質またはその断片である、項目３６２に記載の方法。
（項目３６４）
前記スピンラベルが前記ａｐｏＥリポタンパク質の単一の部位のアミノ酸に共有結合によって付着している、項目３６２または３６３に記載の方法。
（項目３６５）
前記ａｐｏＥタンパク質の前記単一の部位のネイティブなアミノ酸残基がシステイン残基によって置き換えられている、項目３６４に記載の方法。
（項目３６６）
前記スピンラベルしたリポタンパク質プローブが、ＨＤＬに対して高い特異性を有するａｐｏＡ−Ｉ模倣物を含む、項目３１８から３４５のいずれか一項に記載の方法。
（項目３６７）
前記ａｐｏＡ−Ｉ模倣物が１８Ａ、１８Ａ−Ｐｒｏ−１８Ａ、４Ｆ、および４ｆ−Ｐｒｏ−４Ｆからなる群から選択される、項目３６６に記載の方法。
（項目３６８）
前記スピンラベルが、前記ａｐｏＡ−Ｉ模倣物の単一の部位に共有結合によって付着している、項目３６６または３６７に記載の方法。
（項目３６９）
前記スピンラベルが自由電子を担持する原子を含む、項目３１８から３６８のいずれか一項に記載の方法。
（項目３７０）
自由電子を担持する前記原子が窒素である、項目３６９に記載の方法。
（項目３７１）
前記スピンラベルが、（１−オキシル−２，２，５，５−テトラメチル−Δ３−ピロリン−３−メチル）メタンチオスルホネート；（１−オキシル−２，２，５，５−テトラメチル−Δ３−ピロリン−３−メチル）メタンチオスルホネート−１５Ｎ；１−オキシル−２，２，５，５−テトラメチル−Δ３−ピロリン−３−メチル）メタンチオスルホネート−１５Ｎ，ｄ１５；（１−オキシル−２，２，５，５−テトラメチルピロリジン−３−イル）メチルメタンスルホネート；（−）−（１−オキシル−２，２，５，５−テトラメチルピロリジン−３−イル）メチルメタンスルホネート；（＋）−（１−オキシル−２，２，５，５−テトラメチルピロリジン−３−イル）メチルメタンスルホネート；３−（２−ヨードアセトアミド）−ＰＲＯＸＹＬ；３−ヨードメチル−（１−オキシ−２，２，５，５−テトラメチルピロリン）；１−オキシル−３−（マレイミドメチル）−２，２，５，５−テトラメチル−１−ピロリジン；（１−オキシル−２，２，３，５，５−ペンタメチル−Δ３−ピロリン−３−メチル）メタンチオスルホネート；Ｎ−（１−オキシル−２，２，６，６−テトラメチル−４−ピペリジニル）マレイミド；（１−オキシル−２，２，５，５−テトラメチルピロリジン−３−イル）メチルメタンチオスルホネート；（１−オキシル−２，２，５，５−テトラメチルピロリン−３−イル）カルバミドエチルメタンチオスルホネート；（１−オキシル−２，２，５，５−テトラメチルピロリン−３−イル）カルバミドヘキシルメタンチオスルホネート；（１−オキシル−２，２，５，５−テトラメチルピロリン−３−イル）カルバミドプロピルメタンメタンチオスルホネート；３−（２−ブロモアセトアミド）−２，２，５，５−テトラメチル−１−ピロリジニルオキシ、フリーラジカル；４−ブロモ−３−ヒドロキシメチル−１−オキシル−２，２，５，５−テトラメチル−δ３−ピロリン；３−ブロモメチル−２，５−ジヒドロ−２，２，５，５−テトラメチル−１Ｈ−ピロール−１−イルオキシ；４−ブロモ−（１−オキシル−２，２，５，５−テトラメチル−Δ３−ピロリン−３−メチル）メタンチオスルホネート；３−［２−（２−マレイミドエトキシ）エチルカルバモイル］−ＰＲＯＸＹＬ；３−マレイミド−ＰＲＯＸＬ、３−（２−マレイミドエチル−カルバモイル）−ＰＲＯＸＹＬ、フリーラジカル；３−（３−（２−ヨード−アセトアミド）−プロピル−カルバモイル）−ＰＲＯＸＹＬ、フリーラジカル；３−（２−ブロモ−アセトアミド−メチル）−ＰＲＯＸＹＬ、フリーラジカル；または３−（２−ヨード−アセトアミド−メチル）−ＰＲＯＸＹＬ、フリーラジカルである、項目３６９または３７０に記載の方法。
（項目３７２）
前記スピンラベルが過重水素化スピンラベルである、項目３７１または３７３に記載の方法。
（項目３７３）
前記スピンラベルが、前記リポタンパク質のアミノ酸にチオスルホネートを通じて付着している、項目３７０から３７２のいずれか一項に記載の方法。
（項目３７４）
前記スピンラベルしたリポタンパク質が、前記スピンラベルと前記リポタンパク質との間のスペーサーをさらに含む、項目３７０から３７２のいずれか一項に記載の方法。
（項目３７５）
前記スペーサーがメタン、エタン、プロパンまたはブタンである、項目３７４に記載の方法。
（項目３７６）
前記スピンラベルしたリポタンパク質プローブの６０％超がＨＤＬと結合する、項目３１８から３７５のいずれか一項に記載の方法。
（項目３７７）
前記ＨＤＬがＨＤＬ３である、項目３７６に記載の方法。
（項目３７８）
前記固体支持体が、常磁性が低いポリマー材料またはセルロース系材料から選択される、項目３１８から３７７のいずれか一項に記載の方法。
（項目３７９）
前記固体支持体が吸着性材料である、項目３１８から３７７のいずれか一項に記載の方法。
（項目３８０）
前記吸着性材料がポリフッ化ビニリデン（ＰＶＤＦ）、ナイロンまたはニトロセルロースである、項目３７９に記載の方法。
（項目３８１）
前記固体支持体が吸着性材料をさらに含む、項目３１８から３７８のいずれか一項に記載の方法。
（項目３８２）
前記ｉｎ  ｖｉｔｒｏ試料が抗凝固薬をさらに含む、項目３１８から３８１のいずれか一項に記載の方法。
（項目３８３）
前記抗凝固薬がヘパリン、クマジン、ワルファリン、ＥＤＴＡ、シトレートまたはオキザレートである、項目３８２に記載の方法。